【事件の表示】
　特許第５８２２５２４号発明「遊技機」の特許異議申立事件について、次のとおり決定する。
【結　論】
　特許第５８２２５２４号の明細書及び特許請求の範囲を訂正請求書に添付された訂正明細書及び特許請求の範囲のとおり訂正することを認める。
　特許第５８２２５２４号の請求項１に係る特許を維持する。
【理　由】
第１　手続の経緯
　特許第５８２２５２４号の請求項１に係る特許（以下、「本件特許」という。）についての出願は、平成２３年４月２８日に特許出願され、平成２７年１０月１６日にその特許権の設定登録がされ、その後、その特許について、特許異議申立人日本電動式遊技機特許株式会社により特許異議の申立てがされ、平成２８年７月２１日付けで取消理由が通知され、その指定期間内である同年９月２３日に特許権者である株式会社三共から意見書の提出及び訂正の請求があり、これに対して特許異議申立人から同年１１月１５日付けで意見書が提出されたものである。
第２　訂正の適否についての判断
１　訂正の内容
　本件訂正請求による本件特許の訂正の内容は、以下のとおりである（下線部は訂正箇所を示す。）。
（１）訂正事項１
　特許請求の範囲の請求項１に、「
前記可動部は、前記移動支持部により支持される被支持部を有し、
（２）訂正事項２
　特許請求の範囲の請求項１に、「前記規制部は、前記可動部の移動に応じて前記配線が前記移動支持部に近づくことを規制する」とあるのを、
「前記規制部は、
前記被支持部よりも前記移動支持部の延設方向に突設させて形成され、
と前記被支持部の間
（３）訂正事項３
　願書に添付した明細書の段落【０００７】に
「前記課題を解決するために、本発明の請求項１に記載の遊技機は、
　ベース部と、該ベース部に対して移動可能に設けられた可動部と、該可動部に駆動力を伝達させる駆動伝達手段と、を有する演出装置を備える遊技機であって、
　前記演出装置は、
　前記ベース部の第１位置から第２位置に向けて延設され、前記可動部を移動可能に支持する移動支持部と、
　前記可動部に搭載された電気部品に接続され、該可動部に設けられた可動側配線保持部と前記ベース部に設けられたベース側配線保持部との間に掛け渡された可撓性を有する配線と、
　前記移動支持部を基準として前記可動側配線保持部とは反対側に設けられる配線経路部と、
　前記可動部において前記配線経路部側に設けられる規制部と、
　を備え、
　前記配線は、前記可動側配線保持部から前記規制部に向けて延出され、さらに該規制部から前記配線経路部に向けて延出され、
　前記規制部は、前記可動部の移動に応じて前記配線が前記移動支持部に近づくことを規制する
　ことを特徴としている。
　この特徴によれば、配線が可動部と移動支持部との間に入り込むなどして可動部の移動が妨げられること等が防止される。」とあるのを、
「前記課題を解決するために、本発明の請求項１に記載の遊技機は、
　ベース部と、該ベース部に対して移動可能に設けられた可動部と、該可動部に駆動力を伝達させる駆動伝達手段と、を有する演出装置を備える遊技機であって、
　前記演出装置は、
　前記ベース部の第１位置から第２位置に向けて延設され、前記可動部を移動可能に支持する移動支持部と、
　前記可動部に搭載された電気部品に接続され、該可動部に設けられた可動側配線保持部と前記ベース部に設けられたベース側配線保持部との間に掛け渡された可撓性を有する配線と、
　前記移動支持部を基準として前記可動側配線保持部とは反対側に設けられる配線経路部と、
　前記可動部において前記配線経路部側に設けられる規制部と、
　を備え、
　前記配線は、前記可動側配線保持部から前記規制部に向けて延出され、さらに該規制部から前記配線経路部に向けて延出され、
　
前記可動部は、前記移動支持部により支持される被支持部を有し、
　前記規制部は、
前記被支持部よりも前記移動支持部の延設方向に突設させて形成され、
と前記被支持部の間
　ことを特徴としている。
　この特徴によれば、配線
が移
可動部の被支持部と
２　訂正の目的の適否、新規事項の有無、及び特許請求の範囲の拡張・変更の存否
（１）訂正事項１について
　訂正事項１は、「可動部」について、「前記移動支持部により支持される被支持部を有」するものに限定するものであるから、特許請求の範囲の減縮を目的とするものである。
　また、訂正事項１は、段落【０１１４】等の本件特許の願書に添付した明細書、特許請求の範囲又は図面（以下、「本件特許明細書等」という。）の記載に基づくものであって、本件特許明細書等のすべての記載を総合することにより導かれる技術的事項との関係において新たな技術的事項を導入するものではないから、新規事項の追加に該当せず、また、実質上特許請求の範囲を拡張し、又は変更するものではない。
（２）訂正事項２について
　訂正事項２は、「規制部」について、「前記被支持部よりも前記移動支持部の延設方向に突設させて形成され」るものに限定するとともに、「前記配線が前記移動支持部に近づくことを規制する」を、「前記配線が前記移動支持部
と前記被支持部の間
　そして、移動支持部と被支持部とは、移動支持部が被支持部を支持する関係にあるから、両者が近接して配置されることは明らかであり、したがって、配線が移動支持部と被支持部との間に近づくことが規制される範囲は、配線が移動支持部に近づくことが規制される範囲に含まれるものといえる。すなわち、訂正後の「前記配線が前記移動支持部
と前記被支持部の間
　よって、訂正事項２は、特許請求の範囲の減縮を目的とするものである。
　また、訂正事項２は、段落【０１６９】の「・・・ケーブルＣがガイドシャフト５１０ａ，５１０ｂやギヤ部材５１１に入り込んだり、ガイドシャフト５１０ａ，５１０ｂとガイド凹溝５１８ａ，５１８ｂとの間、つまり被支持部に入り込むなどして移動部５０２の移動が妨げられること等が防止される。」という記載をはじめとする段落【０００７】、【０１６９】、図２８（ａ）等の本件特許明細書等の記載に基づくものであって、本件特許明細書等のすべての記載を総合することにより導かれる技術的事項との関係において新たな技術的事項を導入するものではないから、新規事項の追加に該当せず、また、実質上特許請求の範囲を拡張し、又は変更するものではない。
（３）訂正事項３について
　訂正事項３は、請求項１に係る訂正事項１及び２と整合性をとるために明細書を訂正するものであるから、明瞭でない記載の釈明を目的とするものであって、新規事項の追加に該当せず、実質上特許請求の範囲を拡張し、又は変更するものでもないことは明らかである。
（４）特許異議申立人の主張について
　特許異議申立人は、平成２８年１１月１５日付け意見書において、「このように、規制部によって配線を規制する対象が『移動支持部』から『移動支持部と被支持部の間』に変更されている。これは、実質上特許請求の範囲の変更が行われたと解される。・・・したがって、訂正事項２は特許法第１２０条の５第９項で準用する第１２６条第６項に違反する。」（第５頁第１行〜第６頁第６行）と主張している。
　しかしながら、上記（２）で述べたとおり、訂正後の「前記配線が前記移動支持部
と前記被支持部の間
　また、特許異議申立人は同意見書において、要件２）（被支持部よりも移動支持部の延設方向に突設させて形成されている）について、解釈１（明細書の段落【０００７】等に記載されているように、「前記可動部において前記移動支持部の延設方向（上下方向）
に向けて
側の位置において、（上下方向又は左右方向等、具体的な向きを問わず）突設され
　しかしながら、訂正事項２における「前記被支持部よりも前記移動支持部の延設方向に突設させて形成され」の「延設方向に突設させ」は、その語句自体の意味からも、また、明細書の段落【０００７】等の記載を考慮して特許請求の範囲に記載された用語としての意義を解釈しても、「延設方向に
向けて
　したがって、特許異議申立人の訂正に係る主張はいずれも採用することができない。
３　まとめ
　以上のとおりであるから、本件訂正請求による訂正は特許法第１２０条の５第２項第１号及び第３号に掲げる事項を目的とするものであり、かつ、同条第９項において準用する同法第１２６条第５項及び第６項の規定に適合するので、本件訂正請求による訂正を認める。
第３　特許異議の申立てについて
１　本件発明
　本件訂正請求により訂正された訂正請求項１に係る発明（以下、「本件発明」という。）は、その特許請求の範囲の請求項１に記載された次の事項により特定されるとおりのものである。（記号Ａ〜Ｆ、Ｂ１〜Ｂ４は、分説のため当審で付した。）
「Ａ　ベース部と、該ベース部に対して移動可能に設けられた可動部と、該可動部に駆動力を伝達させる駆動伝達手段と、を有する演出装置を備える遊技機であって、
Ｂ　前記演出装置は、
Ｂ１　前記ベース部の第１位置から第２位置に向けて延設され、前記可動部を移動可能に支持する移動支持部と、
Ｂ２　前記可動部に搭載された電気部品に接続され、該可動部に設けられた可動側配線保持部と前記ベース部に設けられたベース側配線保持部との間に掛け渡された可僥性を有する配線と、
Ｂ３　前記移動支持部を基準として前記可動側配線保持部とは反対側に設けられる配線経路部と、
Ｂ４　前記可動部において前記配線経路部側に設けられる規制部と、
　を備え、
Ｃ　前記配線は、前記可動側配線保持部から前記規制部に向けて延出され、さらに該規制部から前記配線経路部に向けて延出され、
Ｄ　前記可動部は、前記移動支持部により支持される被支持部を有し、
Ｅ　前記規制部は、前記被支持部よりも前記移動支持部の延設方向に突設させて形成され、前記可動部の移動に応じて前記配線が前記移動支持部と前記被支持部の間に近づくことを規制する
Ｆ　ことを特徴とする遊技機。」
２　取消理由の概要
　訂正前の請求項１に係る特許に対して平成２８年７月２１日付けで特許権者に通知した取消理由の要旨は、次のとおりである。
　本件特許の請求項１に係る発明は、甲第１号証及び甲第３号証に記載された発明に基づいて、当業者が容易に発明をすることができたものであるから、請求項１に係る特許は、特許法第２９条第２項の規定に違反してなされたものであり、取り消されるべきものである。
３　甲号証の記載事項
（１）甲第１号証
　本件特許の出願前に頒布された刊行物である甲第１号証（特開２０１０−２３４０２０号公報）には、図面とともに以下の事項が記載されている（下線は当審で付した。）。
（１−ア）
「【０００１】
　本発明は、遊技板の前面に直線移動可能な状態で設けられた可動部材に電飾基板を設けた
遊技機
（１−イ）
「【００４４】
　副制御基板２０２の出力側にはスピーカ２７７が接続され、副制御基板２０２において確定した通りに音声を出力する。副制御基板２０２の出力側にはまた、ランプ２６２、演出ライト１１１、及び演出役物作動装置２５４を制御するランプ制御基板２０６が接続されている。演出役物作動装置２５４は、左右のリング形開閉部材２０Ｌ、２０Ｒ及び
左右のハート形開閉部材３０Ｌ、３０Ｒ
演出用の役物
（１−ウ）
「【００６１】
　図６及び図７に示す
前側ユニット３において、左右のハート形開閉部材３０Ｌ、３０Ｒは、
設けられる
・・・・・
【００６４】
　
前側ユニット３のフレーム１１の左右下側部には、
中継基板２６Ｌ、２６Ｒが設けられている
（１−エ）
「【００８５】
　
左右のハート形開閉部材３０Ｌ、３０Ｒは、上下の金属棒によるレール１４１、１４２によって左右にスライド可能な状態で設けられている。
直線ギア１４３、１４４
【００８６】
　駆動モータ１４５は、
前側ユニット３の下部に設けられている
平歯車１４７
【００８７】
　回転軸１４８は、
前側ユニット３に
設けられている
平歯車１４９、１５０
【００８８】
　回転軸１５１は、
前側ユニット３に
設けられている
平歯車１５２
【００８９】
　
これにより、駆動モータ１４５が回転軸１４６を前方から見て右回りに回転駆動すると、
左右のハート形開閉部材３０Ｌ、３０Ｒは近づく方向に移動する
【００９０】
　
駆動モータ１４５が回転軸１４６を前方から見て左回りに回転駆動すると、
左右のハート形開閉部材３０Ｌ、３０Ｒは離れる方向に移動する
（１−オ）
「【００９７】
　
左右下側のフレキシブルフラットケーブル１９５Ｌ、１９５Ｒの一端側のコネクタ接続部は、左右のハート形開閉部材３０Ｌ、３０Ｒの外装部材６１Ｌ、６１Ｒの下側延出部１７４Ｌ、１７４Ｒから内部に挿入して電飾基板１６３Ｌ、１６３Ｒ
のコネクタメス部に接続される
【００９８】
　左下側の中継基板２６Ｌは、左のハート形開閉部材３０Ｌが最も左側に移動した状態で左のハート形開閉部材３０Ｌの右下側に配置している。右下側の中継基板２６Ｒは、右のハート形開閉部材３０Ｒが最も右側に移動した状態で右のハート形開閉部材３０Ｒの左下側に配置している。
左右下側の中継基板２６Ｌ、２６Ｒのコネクタメス部９６Ｌ、９６Ｒには、フレキシブルフラットケーブル１９５Ｌ、１９５Ｒの他端側のコネクタ接続部が接続される
【００９９】
　このような構造により、左右下側の中継基板２６Ｌ、２６Ｒは、それぞれ左右下側のフレキシブルフラットケーブル１９５Ｌ、１９５Ｒを介してそれぞれ
左右のハート形開閉部材３０Ｌ、３０Ｒの電飾基板１６３Ｌ、１６３Ｒ
（１−カ）
「【０１１７】
　電飾基板１６３Ｌは、基板原板をハート左半分形状に形成したハート形状部６３４Ｌの下側に延出部６３５Ｌを設けたものである。
電飾基板１６３Ｌ
には、９個の発光ダイオード６３６が設けられている
９個の発光ダイオード６３６Ｌは、コネクタメス部１８１Ｌと電気的に接続している
・・・・・
【０１１９】
　図１２において、
下側延出部１７４Ｌは、
ローラ１６５Ｌ、１６６Ｌを収納し状態で、後側が下側蓋部材１６７Ｌによって閉塞される。
・・・・・
【０１２１】
　図１４において、
下側延出部１７４Ｌは、
壁部
６４３Ｌを設けたものである
（１−キ）
「【０１２９】
　下側の壁部６４３Ｌの後辺中央には、フレキシブルフラットケーブル１９１Ｌが挿入される切欠き６７１Ｌが形成されている。
下側の壁部６４３Ｌの切欠き６７１Ｌの下側には、
フレキシブルフラットケーブル保持部６７２Ｌが設けられている
【０１３０】
　
ローラ１６５Ｌ、１６６Ｌは、それぞれハート形開閉部材３０Ｌの閉塞側及び開放側に配置してレール１４２の上に乗るものであり
（１−ク）
「【０１４０】
　図１４において、
フレキシブルフラットケーブル保持部６７２Ｌは、左壁部６７３Ｌと、
水平平面部６７７Ｌとを有している
【０１４１】
　図１４において、フレキシブルフラットケーブル保持部６７２Ｌの左壁部６７３Ｌは、下側の壁部６４３Ｌの切欠き６７１Ｌの左脇から下方に延出する。後側壁部６７４Ｌは、左壁部６７３Ｌの後辺に連続して右方向に設けられ、板面が平面部６４０Ｌと平行になっている。
【０１４２】
　図１６において、フレキシブルフラットケーブル挿入部６７５Ｌは、上側後方が平面部６４０Ｌの下辺中央と連続して形成され、下側後方が後側壁部６７４Ｌと連続して形成され、左側が左壁部６７３Ｌと連続して形成されている。また、フレキシブルフラットケーブル挿入部６７５Ｌは、フレキシブルフラットケーブル１９１Ｌが挿入される水平方向の溝部６７８Ｌが形成されている。後側壁部６７４Ｌの後ろ面には、フレキシブルフラットケーブル１９１Ｌを誘導する曲面部６７６Ｌ及び水平平面部６７７Ｌが形成されている。
左壁部６７３Ｌと水平平面部６７７Ｌの間には、
隙間６７９Ｌが形成されている
・・・・・
【０１４８】
　図１８（ｂ）において、折曲部１９５Ｌ、１９６Ｌ、１９７Ｌ、１９８Ｌで折り曲げられた
フレキシブルフラットケーブル１９１Ｌは、コネクタメス部１８１Ｌから下方向に延出し、
切欠き６７１Ｌに挿入される
フレキシブルフラットケーブル１９１Ｌの切欠き６７１Ｌより下側は、
隙間６７９Ｌ
を挿通してフレキシブルフラットケーブル保持部６７２Ｌの左方向の外側に延出する
（１−ケ）
　図１６には、フレキシブルフラットケーブル保持部６７２Ｌの左壁部６７３Ｌによりフレキシブルフラットケーブル６７９Ｌの左上方向（遊技盤１０１の正面から見た場合は、右上方向）への延出が規制されていることが看取できる。
（１−コ）
　上記（１−ウ）の段落【００６４】には、「
前側ユニット３のフレーム１１の左右下側部には、
中継基板２６Ｌ、２６Ｒが設けられている
　そして、上記（１−ウ）の段落【００６１】には、「図６及び図７に示す
前側ユニット３において、左右のハート形開閉部材３０Ｌ、３０Ｒは、
設けられる
左右のハート形開閉部材３０Ｌ、３０Ｒ
演出用の役物
　また、上記（１−エ）の段落【００８５】には、「左右のハート形開閉部材３０Ｌ、３０Ｒの下側延出部１７４Ｌ、１７４Ｒには、左右方向に伸びる
直線ギア１４３、１４４
前側ユニット３の下部に設けられている
平歯車１４７
前側ユニット３に
設けられている
平歯車１４９、１５０
前側ユニット３
設けられている
平歯車１５２
これにより、駆動モータ１４５が回転軸１４６を前方から見て右回りに回転駆動すると、
左右のハート形開閉部材３０Ｌ、３０Ｒは近づく方向に移動する
駆動モータ１４５が回転軸１４６を前方から見て左回りに回転駆動すると、
左右のハート形開閉部材３０Ｌ、３０Ｒは離れる方向に移動する
駆動モータ１４５が回転軸１４６を前方から見て右回りに回転駆動すると、左右のハート形開閉部材３０Ｌ、３０Ｒを近づく方向に移動させ、駆動モータ１４５が回転軸１４６を前方から見て左回りに回転駆動すると、左右のハート形開閉部材３０Ｌ、３０Ｒを離れる方向に移動させる直線ギア１４３、１４４及び平歯車１４７、１４９、１５０、１５２
　以上のことから、甲第１号証には、「
左右下側部に中継基板２６Ｌ、２６Ｒが設けられているフレーム１１と、演出用の役物である左右のハート形開閉部材３０Ｌ、３０Ｒと、駆動モータ１４５が回転軸１４６を前方から見て右回りに回転駆動すると、左右のハート形開閉部材３０Ｌ、３０Ｒを近づく方向に移動させ、駆動モータ１４５が回転軸１４６を前方から見て左回りに回転駆動すると、左右のハート形開閉部材３０Ｌ、３０Ｒを離れる方向に移動させる直線ギア１４３、１４４及び平歯車１４７、１４９、１５０、１５２と、を有する前側ユニット３
（１−サ）
　上記（１−エ）の段落【００８５】には、「
左右のハート形開閉部材３０Ｌ、３０Ｒは、上下の金属棒によるレール１４１、１４２によって左右にスライド可能な状態で設けられている。
　また、「左右のハート形開閉部材３０Ｌ、３０Ｒ」は「前側ユニット３」に設けられるもののであるから（甲第１号証の段落【００６１】を参照。）、「上下のレール１４１、１４２」も「前側ユニット３」が備えるものであることは明らかである。
　そうすると、甲第１号証には、「
前側ユニット３
左右のハート形開閉部材３０Ｌ、３０Ｒを左右にスライド可能な状態で設けている下側のレール１４２
（１−シ）
　上記（１−オ）の段落【００９７】には、「
左右下側のフレキシブルフラットケーブル１９５Ｌ、１９５Ｒの一端側のコネクタ接続部は、左右のハート形開閉部材３０Ｌ、３０Ｒの外装部材６１Ｌ、６１Ｒの下側延出部１７４Ｌ、１７４Ｒから内部に挿入して電飾基板１６３Ｌ、１６３Ｒ
のコネクタメス部に接続される
左右のハート形開閉部材３０Ｌ、３０Ｒの電飾基板１６３Ｌ、１６３Ｒ
　また、同段落【００９８】には、「
左右下側の中継基板２６Ｌ、２６Ｒのコネクタメス部９６Ｌ、９６Ｒには、フレキシブルフラットケーブル１９５Ｌ、１９５Ｒの他端側のコネクタ接続部が接続される
　そして、上記（１−カ）の段落【０１１７】には、「
電飾基板１６３Ｌ
には、９個の発光ダイオード６３６が設けられている
９個の発光ダイオード６３６Ｌは、コネクタメス部１８１Ｌと電気的に接続している
　また、「左右下側のフレキシブルフラットケーブル１９５Ｌ、１９５Ｒ」により接続される「左右のハート形開閉部材３０Ｌ、３０Ｒ」と「左右下側の中継基板２６Ｌ、２６Ｒ」は、ともに「前側ユニット３」に設けられるものであるから（甲第１号証の段落【００６１】を参照。）、「左右下側のフレキシブルフラットケーブル１９５Ｌ、１９５Ｒ」も「前側ユニット３」が備えるものであるといえる。
　そうすると、甲第１号証には、「
前側ユニット３
一端側のコネクタ接続部が、左右のハート形開閉部材３０Ｌ、３０Ｒの外装部材６１Ｌ、６１Ｒの下側延出部１７４Ｌ、１７４Ｒから内部に挿入されて、電飾基板１６３Ｌに設けられている９個の発光ダイオード６３６Ｌが電気的に接続している左右のハート形開閉部材３０Ｌ、３０Ｒの電飾基板１６３Ｌ、１６３Ｒのコネクタメス部１８１Ｌに接続され、他端側のコネクタ接続部が、左右下側の中継基板２６Ｌ、２６Ｒのコネクタメス部９６Ｌ、９６Ｒに接続される左右下側のフレキシブルフラットケーブル１９５Ｌ、１９５Ｒ
（１−ス）
　上記（１−ク）の段落【０１２９】には、「
下側の壁部６４３Ｌの切欠き６７１Ｌの下側には、
フレキシブルフラットケーブル保持部６７２Ｌが設けられている
下側延出部１７４Ｌは、
壁部
６４３Ｌを設けたものである
　また、「下側延出部１７４Ｌ」を有する「左右のハート形開閉部材３０Ｌ、３０Ｒの外装部材６１Ｌ、６１Ｒ」は「前側ユニット３」に設けられるものであるから（甲第１号証の段落【００６１】、【００９７】を参照。）、「下側延出部１７４Ｌ」も「前側ユニット３」が備えるものであるといえる。
　そうすると、甲第１号証には、「
前側ユニット３
下側延出部１７４Ｌの下側の壁部６４３Ｌの切欠き６７１Ｌの下側に設けられているフレキシブルフラットケーブル保持部６７２Ｌ
　上記（１−ア）〜（１−ケ）の記載事項及び（１−コ）〜（１−ス）の認定事項を総合すると、甲第１号証には、次の発明（以下、「甲１発明」という。）が記載されていると認められる（記号ａ〜ｆ、ｂ１〜ｂ４は、本件発明の記号Ａ〜Ｆ、Ｂ１〜Ｂ４に対応させて付した。ただし、甲１発明には本件発明のＢ３に対応する構成がないため、記号ｂ３は使用していない。）。
「ａ　左右下側部に中継基板２６Ｌ、２６Ｒが設けられているフレーム１１と、
　演出用の役物である左右のハート形開閉部材３０Ｌ、３０Ｒと、
　駆動モータ１４５が回転軸１４６を前方から見て右回りに回転駆動すると、左右のハート形開閉部材３０Ｌ、３０Ｒを近づく方向に移動させ、駆動モータ１４５が回転軸１４６を前方から見て左回りに回転駆動すると、左右のハート形開閉部材３０Ｌ、３０Ｒを離れる方向に移動させる直線ギア１４３、１４４及び平歯車１４７、１４９、１５０、１５２と、
　を有する前側ユニット３を備える遊技機であって、（１−コ）
ｂ　前記前側ユニット３は、
ｂ１　左右のハート形開閉部材３０Ｌ、３０Ｒを左右にスライド可能な状態で設けている下側のレール１４２と、（１−サ）
ｂ２　一端側のコネクタ接続部が、左右のハート形開閉部材３０Ｌ、３０Ｒの外装部材６１Ｌ、６１Ｒの下側延出部１７４Ｌ、１７４Ｒから内部に挿入されて、電飾基板１６３Ｌに設けられている９個の発光ダイオード６３６Ｌが電気的に接続している左右のハート形開閉部材３０Ｌ、３０Ｒの電飾基板１６３Ｌ、１６３Ｒのコネクタメス部１８１Ｌに接続され、他端側のコネクタ接続部が、左右下側の中継基板２６Ｌ、２６Ｒのコネクタメス部９６Ｌ、９６Ｒに接続される左右下側のフレキシブルフラットケーブル１９５Ｌ、１９５Ｒと、（１−シ）
ｂ４　下側延出部１７４Ｌの下側の壁部６４３Ｌの切欠き６７１Ｌの下側に設けられているフレキシブルフラットケーブル保持部６７２Ｌと、（１−ス）
　を備え、
ｃ　フレキシブルフラットケーブル１９１Ｌは、コネクタメス部１８１Ｌから下方向に延出し、切欠き６７１Ｌに挿入され、（【０１４８】）
ｄ　ハート形開閉部材３０Ｌは、それぞれ閉塞側及び開放側に配置してレール１４２の上に乗るローラ１６５Ｌ、１６６Ｌを有し、（【０１３０】）
ｅ　フレキシブルフラットケーブル１９１Ｌの切欠き６７１Ｌより下側は、フレキシブルフラットケーブル保持部６７２Ｌの左壁部６７３Ｌと水平平面部６７７Ｌの間に形成された隙間６７９Ｌを挿通してフレキシブルフラットケーブル保持部６７２Ｌの左方向の外側に延出する、（【０１４０】、【０１４２】、【０１４８】）
ｆ　遊技機。（【０００１】）」
（２）甲第２号証
　本件特許の出願前に頒布された刊行物である甲第２号証（特開２０１０−５１３８２号公報）には、図面とともに以下の事項が記載されている（下線は当審で付した。）。
（２−ア）
「【０００４】
　遊技盤に対して移動する可動体に発光手段などの電子部品が取り付けられている場合に、可動体と、遊技台に固定された例えば制御基板とを、ハーネスにて接続することが考えられる。かかる場合、
可動体とともにハーネスの一方の端部側も移動するため、ハーネスが、移動しない部材と擦れ合い、断線するなど、ハーネスが損傷するおそれがある
　本発明は、このような課題を解決するためになされたものであり、演出効果を高めても品質が低下することを抑制することを目的とする。
【０００５】
　かかる目的のもと、本発明は、遊技盤１１０を備える遊技機１００であって、
電子部品を有するとともに
遊技盤１１０に対して移動可能な可動体５００と、前記遊技盤１１０に取り付けられ、前記可動体５００を移動可能に支持するフレーム５５０と、配線パターンが形成され、前記フレーム５５０に取り付けられた制御基板５６０と、前記可動体５００の電子部品と前記制御基板５６０の配線パターンとを電気的に接続するように、一端側が当該可動体５００に他端側が当該制御基板５６０に物理的に接続されたハーネス５７０と、を備え、
遊技機
（２−イ）
「【００５０】
　一方、
可動体５００
には、遊技盤１１０に直交する方向に延びる延出部
としての第６〜第９の突起部５０４〜５０７と、
遊技盤１１０に直交する方向に延びる延出部
としての第３〜５の案内板５１６〜５１８が設けられている
　第６〜第８の突起部５０４〜５０６は、円筒状である。第９の突起部５０７は、主に円筒状で、その右側の部位から右上方向に延出しており、左側上方の部位から左上の斜め方向に延出している。
第３，第４の案内板５１６，５１７は、
両者の間をハーネス５７０が通れるように離れて形成されている
第４の案内板５１７の最下端部では第９の突起部５０７とともにハーネス５７０を左方向に案内するべく円柱状に形成されている
　上記（２−ア）〜（２−イ）の記載事項を総合すると、甲第２号証には、次の技術的事項が記載されていると認められる。
「電子部品を有するとともに遊技盤１１０に対して移動可能な可動体５００と、前記遊技盤１１０に取り付けられ、前記可動体５００を移動可能に支持するフレーム５５０と、配線パターンが形成され、前記フレーム５５０に取り付けられた制御基板５６０と、前記可動体５００の電子部品と前記制御基板５６０の配線パターンとを電気的に接続するように、一端側が当該可動体５００に他端側が当該制御基板５６０に物理的に接続されたハーネス５７０と、を備え、
　可動体５００には、遊技盤１１０に直交する方向に延びる延出部としての第６〜第９の突起部５０４〜５０７と、遊技盤１１０に直交する方向に延びる延出部としての第３〜５の案内板５１６〜５１８が設けられており、第３，第４の案内板５１６，５１７は、両者の間をハーネス５７０が通れるように離れて形成されており、第４の案内板５１７の最下端部では第９の突起部５０７とともにハーネス５７０を左方向に案内するべく円柱状に形成されている、遊技機。」
（３）甲第３号証
　本件特許の出願前に頒布された刊行物である甲第３号証（特開２０１０−５１３８２号公報）には、図面とともに以下の事項が記載されている（下線は当審で付した。）。
（３−ア）
「【０００１】
　本発明は、２つの電子基板同士を接続する配線を収納する配線収納構造及び配線収納構造を有する
遊技機
（３−イ）
「【０００８】
　しかし、例えば、可動部材が水平方向に繰り返し移動可能に構成された遊技機において、
可動部材と接続された電子基板
配線が緩むと、電子基板が移動する際における配線の引っ掛かりにより断線したり、電子基板が繰り返し移動することにより意図しない箇所で配線が屈曲して断線したりするおそれがある
【０００９】
　本発明は、上記の事情に鑑みて為されたものであり、所定方向に沿って
移動する電子基板
が配線によって接続され
配線の断線等の不具合を抑制する
（３−ウ）
「【００４２】
　役物ユニット４０は、パチンコ機２の正面から遊技者が視認可能な第一可動役物４０ａと、第一可動役物４０ａを支持する支持部４０ｂと、支持部４０ｂと接続された駆動源としての第一モータ４０ｃと、第一電子基板としての役物基板４０ｄと、支持部４０ｂ及び役物基板４０ｄが固定され、支持部４０ｂ及び役物基板４０ｄと共に所定方向（図示する左右方向）にスライド移動するプレート部４０ｅと、プレート部４０ｅをスライド移動させる駆動源としての第二モータ（図示せず）と、プレート部４０ｅの移動を補助するガイド部４０ｆと、役物基板４０ｄの移動領域の下方に固定された第二電子基板としての中継基板４０ｇと、役物基板４０ｄと中継基板４０ｇとを電気的に接続する配線４０ｈと、
中継基板４０ｇに隣接して配置され、
配線４０ｈを収納可能な収納領域を内部に有する収納室４０ｋと
を備える
・・・・・
【００４６】
　次いで、
延出方向変更手段
・・・・・
【００５０】
　図９に示すように、役物基板４０ｄが第二位置となると、配線４０ｈの緩みは略なく、配線４０ｈは傾斜面４０ｍと接触していない。しかし、中継基板４０ｇから延出した配線４０ｈはリブ４０ｎによって下方に曲げられている。したがって、役物基板４０ｄが第二位置における配線４０ｈは、リブ４０ｎによって案内された部分のみが収納室４０ｋ内の収納領域に収納されている。
【００５１】
　そして、役物基板４０ｄが左側から右側に移動すると、図１０に示すように、役物基板４０ｄが第一位置となる。役物基板４０ｄが第一位置となると配線４０ｈの緩みが大きくなり、配線４０ｈが傾斜面４０ｍと当接して左下方に曲げられる。傾斜面４０ｍによって左右方向に移動する配線４０ｈを上下方向に向けて案内して、役物基板４０ｄの移動領域の下方に配置された収納室４０ｋ内の収納領域に向けて配線４０ｈを円滑に導くことができる。このように、傾斜面４０ｍ及びリブ４０ｎによって、余剰長さの配線４０ｈを収納室４０ｋ内の収納領域に導いて収納することにより、配線４０ｈが意図しない箇所で曲げられたり、押圧されたりすることを防ぎ、
配線４０ｈの断線等の不具合を抑制する
　上記（３−ア）〜（３−ウ）の記載事項を総合すると、甲第３号証には、次の技術的事項が記載されていると認められる。
「可動部材に接続された配線の緩みに起因する配線の断線等の不具合を抑制するために、中継基板４０ｇに隣接して配設され、配線４０ｈを収納可能な収納領域を内部に有する収納室４０ｋを、延出方向変更手段とともに設ける遊技機。」
４　対比
　本件発明と甲１発明とを対比する（対比にあたっては、本件発明の構成Ａ〜Ｆ、Ｂ１〜Ｂ４と甲１発明の構成ａ〜ｆ、ｂ１〜ｂ４について、それぞれ（ａ）〜（ｆ）、（ｂ１）〜（ｂ４）の見出しを付けて行った。なお、本件発明の構成Ｂ３は、甲１発明に対応する構成がないため、構成別の対比を行わずに相違点とした。）。
（ａ）甲１発明の「フレーム１１」は、「フレーム」という表現から「前側ユニット３」において強度を有する部材であって、「左右のハート形開閉部材３０Ｌ、３０Ｒ」を直接的又は間接的に支持していることは明らかであるから、本件発明の「ベース部」に相当する。
　そして、甲１発明の「左右のハート形開閉部材３０Ｌ、３０Ｒ」は、「近づく方向に移動」し、また、「離れる方向に移動」するものであるから、本件発明の「該ベース部に対して移動可能に設けられた可動部」に相当する。
　また、甲１発明の「駆動モータ１４５が回転軸１４６を前方から見て右回りに回転駆動すると、左右のハート形開閉部材３０Ｌ、３０Ｒを近づく方向に移動させ、駆動モータ１４５が回転軸１４６を前方から見て左回りに回転駆動すると、左右のハート形開閉部材３０Ｌ、３０Ｒを離れる方向に移動させる直線ギア１４３、１４４及び平歯車１４７、１４９、１５０、１５２」は、本件発明の「該可動部に駆動力を伝達させる駆動伝達手段」に相当する。
　さらに、甲１発明の「前側ユニット３」は、「演出用の役物である左右のハート形開閉部材３０Ｌ、３０Ｒ」を備えるものであるから、「演出装置」ということができる。
　そうすると、甲１発明の「左右下側部に中継基板２６Ｌ、２６Ｒが設けられているフレーム１１と、演出用の役物である左右のハート形開閉部材３０Ｌ、３０Ｒと、駆動モータ１４５が回転軸１４６を前方から見て右回りに回転駆動すると、左右のハート形開閉部材３０Ｌ、３０Ｒを近づく方向に移動させ、駆動モータ１４５が回転軸１４６を前方から見て左回りに回転駆動すると、左右のハート形開閉部材３０Ｌ、３０Ｒを離れる方向に移動させる直線ギア１４３、１４４及び平歯車１４７、１４９、１５０、１５２と、を有する前側ユニット３を備える遊技機」は、
　本件発明の「ベース部と、該ベース部に対して移動可能に設けられた可動部と、該可動部に駆動力を伝達させる駆動伝達手段と、を有する演出装置を備える遊技機」に相当する。
（ｂ）上記（ａ）で検討したとおり、甲１発明の「前記前側ユニット３」は、本件発明の「前記演出装置」に相当する。
（ｂ１）甲１発明の「下側のレール１４２」は、「左右のハート形開閉部材３０Ｌ、３０Ｒを左右にスライド可能な状態で設けている」ものであるから、その長手方向を左右方向に向けて第１位置から第２位置に向けて延設されているものであるとともに、「前側ユニット３」において強度を有する部材である「フレーム１１」に設けられていることは明らかである。
　そうすると、甲１発明の「左右のハート形開閉部材３０Ｌ、３０Ｒを左右にスライド可能な状態で設けている下側のレール１４２」は、
　本件発明の「前記ベース部の第１位置から第２位置に向けて延設され、前記可動部を移動可能に支持する移動支持部」に相当する。
（ｂ２）甲１発明の「９個の発光ダイオード６３６Ｌ」は、「左右のハート形開閉部材３０Ｌ、３０Ｒの電飾基板１６３Ｌ、１６３Ｒ」に「電気的に接続され」るものであるとともに、「電飾基板１６３Ｌに設けられている」ものであるから、本件発明の「前記可動部に搭載された電気部品」に相当する。
　また、甲１発明の「左右のハート形開閉部材３０Ｌ、３０Ｒの電飾基板１６３Ｌ、１６３Ｒのコネクタメス部１８１Ｌ」は、本件発明の「可動側配線保持部」に相当し、甲１発明の「左右下側の中継基板２６Ｌ、２６Ｒのコネクタメス部９６Ｌ、９６Ｒ」は、「中継基板２６Ｌ、２６Ｒ」が「フレーム１１」に設けられたものであるから（甲１発明の構成ａを参照。）、本件発明の「ベース側配線保持部」に相当する。
　そうすると、甲１発明の「一端側のコネクタ接続部が、左右のハート形開閉部材３０Ｌ、３０Ｒの外装部材６１Ｌ、６１Ｒの下側延出部１７４Ｌ、１７４Ｒから内部に挿入されて、電飾基板１６３Ｌに設けられている９個の発光ダイオード６３６Ｌが電気的に接続している左右のハート形開閉部材３０Ｌ、３０Ｒの電飾基板１６３Ｌ、１６３Ｒのコネクタメス部１８１Ｌに接続され、他端側のコネクタ接続部が、左右下側の中継基板２６Ｌ、２６Ｒのコネクタメス部９６Ｌ、９６Ｒに接続される左右下側のフレキシブルフラットケーブル１９５Ｌ、１９５Ｒ」は、
　本件発明の「前記可動部に搭載された電気部品に接続され、該可動部に設けられた可動側配線保持部と前記ベース部に設けられたベース側配線保持部との間に掛け渡された可僥性を有する配線」に相当する。
（ｂ４）甲１発明の「下側延出部１７４Ｌ」は、「左右のハート形開閉部材３０Ｌ、３０Ｒ」の構成部分であるとともに（甲１発明の構成ｂ２を参照。）、「フレキシブルフラットケーブル保持部６７２Ｌ」は、下記（ｅ）にて後述するとおり、ハート形開閉部材３０Ｌが移動してもフレキシブルフラットケーブル１９１Ｌがレール１４２に近づくことを規制する機能を有するから、本件発明の「規制部」に相当する。
　そうすると、甲１発明の「下側延出部１７４Ｌの下側の壁部６４３Ｌの切欠き６７１Ｌの下側に設けられているフレキシブルフラットケーブル保持部６７２Ｌ」と、
　本件発明の「前記可動部において前記配線経路部側に設けられる規制部」とは、
　「前記可動部に設けられる規制部」という点で共通する。
（ｃ）上記（ｂ２）で検討したとおり、甲１発明の「コネクタメス部１８１Ｌ」は、本件発明の「前記可動側配線保持部」に相当する。
　そして、甲１発明において、「フレキシブルフラットケーブル保持部６７２Ｌ」は「切欠き６７１Ｌ」の下側に設けられているから（甲１発明の構成ｂ４を参照。）、甲１発明の「フレキシブルフラットケーブル１９１Ｌは、コネクタメス部１８１Ｌから下方向に延出し、切欠き６７１Ｌに挿入され」る点と、
　本件発明の「前記配線は、前記可動側配線保持部から前記規制部に向けて延出され、さらに該規制部から前記配線経路部に向けて延出され」る点とは、
　「前記配線は、前記可動側配線保持部から前記規制部に向けて延出され」る点で共通する。
（ｄ）甲１発明において、「ローラ１６５Ｌ、１６６Ｌ」は、レール１４２の上に乗るものであるから、レール１４２により支持される「被支持部」ということができる。
　そして、上記（ａ）、（ｂ１）で検討したとおり、甲１発明の「ハート形開閉部材３０Ｌ」、「レール１４２」は、それぞれ本件発明の「前記可動部」、「前記移動支持部」に相当するから、甲１発明の「ハート形開閉部材３０Ｌは、それぞれ閉塞側及び開放側に配置してレール１４２の上に乗るローラ１６５Ｌ、１６６Ｌを有」することは、
　本件発明の「前記可動部は、前記移動支持部により支持される被支持部を有」することに相当する。
（ｅ）甲１発明は、「フレキシブルフラットケーブル１９１Ｌの切欠き６７１Ｌより下側は、フレキシブルフラットケーブル保持部６７２Ｌの左壁部６７３Ｌと水平平面部６７７Ｌの間に形成された隙間６７９Ｌを挿通してフレキシブルフラットケーブル保持部６７２Ｌの左方向の外側に延出する」ものであるし、甲第１号証の図１６の記載から、フレキシブルフラットケーブル保持部６７２Ｌの左壁部６７３Ｌによりフレキシブルフラットケーブル６７９Ｌの左上方向（遊技盤１０１の正面から見た場合は、右上方向）への延出が規制されていることが看取できるから、甲１発明の「フレキシブルフラットケーブル保持部６７２Ｌ」は、ハート形開閉部材３０Ｌが移動してもフレキシブルフラットケーブル１９１Ｌがレール１４２に近づくことを規制する機能を有しているといえる。
　これに対して、本件発明の「前記配線が前記移動支持部と前記被支持部の間に近づくことを規制する」は、上記「第２　２（２）訂正事項２について」で検討したとおり、「前記配線が前記移動支持部に近づくことを規制する」を限定するものである
　そうすると、甲１発明の「フレキシブルフラットケーブル１９１Ｌの切欠き６７１Ｌより下側は、フレキシブルフラットケーブル保持部６７２Ｌの左壁部６７３Ｌと水平平面部６７７Ｌの間に形成された隙間６７９Ｌを挿通してフレキシブルフラットケーブル保持部６７２Ｌの左方向の外側に延出する」点と、
　本件発明の「前記規制部は、前記被支持部よりも前記移動支持部の延設方向に突設させて形成され、前記可動部の移動に応じて前記配線が前記移動支持部と前記被支持部の間に近づくことを規制する」点とは、
　「前記規制部は、前記可動部の移動に応じて前記配線が前記移動支持部に近づくことを規制する」点で共通する。
（ｆ）甲１発明の「遊技機」は、本件発明の「遊技機」に相当することが明らかである。
　上記（ａ）〜（ｆ）、（ｂ１）〜（ｂ４）の検討により、本件発明と甲１発明とは、
「Ａ　ベース部と、該ベース部に対して移動可能に設けられた可動部と、該可動部に駆動力を伝達させる駆動伝達手段と、を有する演出装置を備える遊技機であって、
Ｂ　前記演出装置は、
Ｂ１　前記ベース部の第１位置から第２位置に向けて延設され、前記可動部を移動可能に支持する移動支持部と、
Ｂ２　前記可動部に搭載された電気部品に接続され、該可動部に設けられた可動側配線保持部と前記ベース部に設けられたベース側配線保持部との間に掛け渡された可僥性を有する配線と、
Ｂ４’前記可動部に設けられる規制部と、
　を備え、
Ｃ’前記配線は、前記可動側配線保持部から前記規制部に向けて延出され、
Ｄ　前記可動部は、前記移動支持部により支持される被支持部を有し、
Ｅ’前記規制部は、前記可動部の移動に応じて前記配線が前記移動支持部に近づくことを規制する
Ｆ　遊技機。」
である点で一致し、以下の点で相違している。
（相違点１）
　本件発明では、移動支持部を基準として可動側配線保持部とは反対側に設けられる配線経路部を備え、規制部は可動部において前記配線経路部側に設けられ、配線は前記規制部から前記配線経路部に向けて延出されるのに対し、甲１発明では、配線経路部を有するか否か明らかでない点。（Ｂ３、Ｂ４’、Ｃ’）
（相違点２）
　規制部について、本件発明では、被支持部よりも移動支持部の延設方向に突設させて形成され、可動部の移動に応じて配線が近づくことを規制する対象が、「前記移動支持部と前記被支持部の間」であるのに対して、甲１発明では、そのような構成を有しない点。（Ｅ’）
５　判断
（１）取消理由通知に記載した取消理由について
ア　当審の判断
　相違点１については、取消理由通知に示したとおり、甲１発明に甲第３号証に記載された技術的事項を適用することにより、当業者が容易に想到することができたものであるから、相違点２について検討する。
　相違点２に係る本件発明の構成、すなわち、「前記規制部は、前記被支持部よりも前記移動支持部の延設方向に突設させて形成され、前記可動部の移動に応じて前記配線が前記移動支持部と前記被支持部の間に近づくことを規制する」という構成は、甲第１号証に記載されていないのみならず、甲第３号証にも記載されていない。
　そして、当該構成により本件発明は、特許権者が平成２８年９月２３日付け意見書において主張するとおり、「配線が可動側配線保持部から規制部に向けて延出され、規制部から配線経路部に向けて延出されていても、規制部は被支持部よりも移動支持部の延設方向に突設させて形成され、可動部の移動に応じて配線は移動支持部と被支持部の間に近づくことが規制されるため、配線が移動支持部と被支持部の間に入り込むなどして可動部の移動が妨げられることが防止される」（第３頁第８〜１２行）という顕著な効果を奏するものである。
　したがって、本件発明は、甲１発明及び甲第３号証に記載された発明から当業者が容易に発明をすることができたものではない。
　なお、取消理由通知において、特許異議申立人の提出した甲第２号証は使用されなかったが、甲第２号証にも相違点２に係る本件発明の構成は記載されていないから、甲第２号証を用いたとしても、本件発明は当業者が容易に発明をすることができたものとはいえない。
イ　特許異議申立人の主張について
　特許異議申立人は平成２８年１１月１５日付け意見書において、「以上、甲１発明における下側蓋部材１６７Ｌの左右の突設部分は、本件特許発明の『規制部』に相当するといえる。したがって、甲第１号証には、本件特許発明の『規制部』が記載されているといえる。」（第２１頁第１２〜１４行）と主張している。
　そこで、特許異議申立人の上記主張について検討すると、甲１発明において、配線（フレキシブルフラットケーブル１９１Ｌ）は、ハート形開閉部材１３０Ｌの下側延出部１７４Ｌの下側の壁部６４３Ｌの切欠き６７１Ｌの下側に設けられているフレキシブルフラットケーブル保持部６７２Ｌから延出するものである一方で、被支持部（ローラ１６５Ｌ、１６６Ｌ）は、ハート形開閉部材１３０Ｌの下側延出部１７４Ｌと下側蓋部材１６７Ｌによって概略閉塞された空間部に収納されるものであって（甲第１号証の段落【０１１９】、図１４、１５を参照。）、下側蓋部材１６７Ｌの左右の突設部分の有無にかかわらず、配線が移動支持部（レール１４２）と被支持部の間に近づくことはないから、下側蓋部材１６７Ｌの左右の突設部分が、移動支持部と被支持部の間に配線が近づくことを規制しているということはできない。
　そうすると、甲１発明における下側蓋部材１６７Ｌの左右の突設部分は、本件発明の「前記可動部の移動に応じて前記配線が前記移動支持部と前記被支持部の間に近づくことを規制する」ものである「規制部」に相当するとはいえないから、特許異議申立人の上記主張は採用することができない。
　また、特許異議申立人は同意見書において、特許権者による甲１発明はフレキシブルフラットケーブル１９１Ｌが幅方向に撓むことがないから配線が移動支持部と被支持部の間に入り込むという課題が存在しないという主張に対して、フラットケーブルであっても厚さ方向以外に幅方向に撓む可能性がある旨を反論しているが（第２５頁第２３〜２４行）、特許異議申立人の反論のとおりであったとしても、上記アで検討したとおり、相違点２に係る本件発明の構成がいずれの甲号証にも記載されておらず、当該構成により顕著な効果が奏されるから、本件発明が甲１発明及び甲第３号証に記載された発明から当業者が容易に発明をすることができたものではないとの判断に変わりはない。
（２）取消理由通知に採用しなかった特許異議申立理由について
　特許異議申立人は特許異議申立書において、訂正前の請求項１に係る発明は、甲第１号証に記載された発明であるから、特許法第２９条第１項第３号に該当し、当該発明に係る特許は取り消されるべきものである旨を主張しているが、上記「４　対比」において検討したとおり、本件発明と甲１発明とは、相違点１及び２により相違しているから、かかる主張は理由がない。
（３）まとめ
　以上の検討のとおり、本件発明は、甲１発明と同一ではないから、特許法第２９条第１項第３号に該当せず、また、甲１発明及び甲第３号証に記載された発明から当業者が容易に発明をすることができたものではないから、同条第２項の規定により特許を受けることができないものでもない。
第４　むすび
　以上のとおりであるから、取消理由通知に記載した取消理由及び特許異議申立書に記載した特許異議申立理由によっては、本件請求項１に係る特許を取り消すことはできない。
　また、他に本件請求項１に係る特許を取り消すべき理由を発見しない。
　よって、結論のとおり決定する。
【異議決定日】
平成２８年１２月２日（２０１６．１２．２）
【訂正の要旨】
審決（決定）の【理由】欄参照。
（５４）【発明の名称】
遊技機
　【技術分野】
　【０００１】
　本発明は、ベース部と、該ベース部に対して移動可能に設けられた可動部と、該可動部に駆動力を伝達させる駆動伝達手段と、を有する演出装置を備える遊技機に関する。
　【背景技術】
　【０００２】
　パチンコ遊技機やスロットマシン等の遊技機では、遊技に関連する演出画像を表示するための表示装置が設けられているとともに、このような表示装置とは別個に、モータやソレノイド等の駆動源により駆動する可動物（いわゆる役物）を移動可能に設け、表示装置による演出画像の表示や可動物の動作により演出の向上を図るもの等が提案されている。
　【０００３】
　この種の遊技機として、上下方向に延設される案内レールに誘導案内される昇降部材により、内部に発光体としてのＬＥＤが複数設けられた装飾可動体を保持し、駆動モータにより昇降部材を移動させることで装飾可動体を上下に昇降させることができるようにした演出装置を備えたもの等がある（例えば、特許文献１参照）。
　【先行技術文献】
　【特許文献】
　【０００４】
　【特許文献１】特開２００７−１３６００２号公報（第４９頁、第３６−４１図）
　【発明の概要】
　【発明が解決しようとする課題】
　【０００５】
　しかし、上記特許文献１に記載の演出装置のように、上昇位置と下降位置との間で案内レールに沿って昇降可能に設けられた装飾可動体の内部に発光体等の電気部品が設けられるとともに、これら発光体からの配線をベース部側に設けられた制御基板等に接続するものにあっては、装飾可動体が移動する際に、配線が移動先の案内レールの近くに移動してきて装飾可動体の移動の妨げになったり、移動してきた装飾可動体により配線が押し曲げられて断線するといった問題があった。
　【０００６】
　本発明は、このような問題点に着目してなされたもので、可動部に搭載された電気部品に接続された配線が該可動部の移動の妨げになったり、該可動部との接触により断線することがない遊技機を提供することを目的とする。
　【課題を解決するための手段】
　【０００７】
　前記課題を解決するために、本発明の請求項１に記載の遊技機は、
　ベース部と、該ベース部に対して移動可能に設けられた可動部と、該可動部に駆動力を伝達させる駆動伝達手段と、を有する演出装置を備える遊技機であって、
　前記演出装置は、
　前記ベース部の第１位置から第２位置に向けて延設され、前記可動部を移動可能に支持する移動支持部と、
　前記可動部に搭載された電気部品に接続され、該可動部に設けられた可動側配線保持部と前記ベース部に設けられたベース側配線保持部との間に掛け渡された可撓性を有する配線と、
　前記移動支持部を基準として前記可動側配線保持部とは反対側に設けられる配線経路部と、
　前記可動部において前記配線経路部側に設けられる規制部と、
　を備え、
　前記配線は、前記可動側配線保持部から前記規制部に向けて延出され、さらに該規制部から前記配線経路部に向けて延出され、
　
前記可動部は、前記移動支持部により支持される被支持部を有し、
　前記規制部は、
前記被支持部よりも前記移動支持部の延設方向に突設させて形成され、
と前記被支持部の間に
　ことを特徴としている。
　この特徴によれば、配線
が移
可動部の被支持部と
　尚、前記電気部品は、ＬＥＤやランプ等の発光部品、モータやソレノイド等の駆動部品だけでなく、ＣＰＵ等の制御部など種々の部品を含む。
　また、本発明の手段１の遊技機は、
　ベース部（ベース部材３５１）と、該ベース部に対して移動可能に設けられた可動部（移動部５０２及び装飾可動部５０３）と、該可動部に駆動力を伝達させる駆動伝達手段（昇降モータ５２５、駆動ギヤ５２６、ラックギヤ５１１ａ）と、を有する演出装置（第２演出装置５００）を備える遊技機（パチンコ遊技機１）であって、
　前記演出装置は、
　前記ベース部に所定方向（上下方向）に向けて延設され、前記可動部を移動（昇降）可能に支持する移動支持部（移動支持部５０１）と、
　前記可動部に搭載された電気部品（昇降ＬＥＤ５３５や昇降モータ５２５等）に接続され、該可動部に設けられた可動側配線保持部（昇降中継基板５３８の基板側コネクタＣＮＫ１）と前記ベース部に設けられたベース側配線保持部（ベース側中継基板５３９の基板側コネクタＣＮＫ２）との間に掛け渡された可撓性を有する配線（ケーブルＣ）と、
　前記可動部において前記移動支持部の延設方向（上下方向）に向けて突設され、前記配線が前記移動支持部に近づくことを規制する規制部（配線規制部５２２Ａ，５２２Ｂ）と、を備える（図２７，図２８参照）
　ことを特徴としている。
　この特徴によれば、可動部が所定方向に移動する際に移動先の移動支持部に配線が存在しても、可動部よりも規制部の方が先に配線に接触して該配線が可動部に近づくことが規制されるため、配線が可動部と移動支持部との間に入り込むなどして可動部の移動が妨げられること等が防止される。
　尚、前記電気部品は、ＬＥＤやランプ等の発光部品、モータやソレノイド等の駆動部品だけでなく、ＣＰＵ等の制御部など種々の部品を含む。
　【０００８】
　本発明の手段２の遊技機は、請求項１または手段１に記載の遊技機であって、
　前記配線（ケーブルＣ）は複数本からなり、
　帯状の弾性部材を螺旋状に巻回することにより前記複数の配線を束ねてなる配線保護部材（スパイラルチューブ５６０）を備える
　ことを特徴としている。
　この特徴によれば、複数本の配線が束ねられるだけでなく、配線が規制部や可動部との接触を繰り返すことによる断線等を防止することができるばかりか、配線が屈曲されにくくなるので可動部の移動を妨げにくくなる。
　【０００９】
　本発明の手段３の遊技機は、請求項１、手段１、手段２のいずれかに記載の遊技機であって、
　前記ベース部（ベース部材３５１）に設けられる仕切壁（背板）と、
　前記仕切壁を挟んで前記可動部（移動部５０２及び装飾可動部５０３）の反対側（背面側）に設けられ、前記電気部品（昇降ＬＥＤ５３５や昇降モータ５２５等）に前記配線（ケーブルＣ）を介して接続される前記ベース側配線保持部としての基板（ベース側中継基板５３９）と、
　前記仕切壁に設けられ、前記配線を挿通可能とする配線挿通部（配線挿通口５５４、開口５５５）と、を備え、
　前記配線挿通部は、前記移動支持部の長手方向（上下方向）の略中央位置近傍に形成されている（図２８参照）
　ことを特徴としている。
　この特徴によれば、配線挿通部から可動部まで延出される配線の長さを極力短くすることができるので、余剰した配線が邪魔になりにくくなる。
　【００１０】
　本発明の手段４の遊技機は、請求項１、手段１〜３のいずれかに記載の遊技機であって、
　前記可動部（移動部５０２及び装飾可動部５０３）は、前記移動支持部（移動支持部５０１）により往復動（昇降）可能に設けられ、
　前記規制部は、
　移動方向の一方（上方）に向けて突設される第１規制部（配線規制部５２２Ａ）と、
　移動方向の他方（下方）に向けて突設される第２規制部（配線規制部５２２Ｂ）と、から構成される
　ことを特徴としている。
　この特徴によれば、可動部が往路を移動するときでも復路を移動するときでも配線が被支持部に近づくことを規制できる。
　【図面の簡単な説明】
　【００１１】
　【図１】　パチンコ遊技機を示す正面図である。
　【図２】　パチンコ遊技機を示す背面図である。
　【図３】　主基板における回路構成の一例を示すブロック図である。
　【図４】　（ａ）は装飾ユニットを左斜め前から見た状態を示す斜視図、（ｂ）は右斜め前から見た状態を示す斜視図である。
　【図５】　左側の第１回動ユニットを示す正面図である。
　【図６】　左側の第１回動ユニットの構成を示す分解斜視図である。
　【図７】　同じく左側の第１回動ユニットの構成を示す分解斜視図である。
　【図８】　右側の第１回動ユニットを示す正面図である。
　【図９】　可動部を斜め前から見た状態を示す分解斜視図である。
　【図１０】　同じく右側の第１回動ユニットの構成を示す分解斜視図である。
　【図１１】　左側の第２回動ユニットの構成を示す分解斜視図である。
　【図１２】　同じく左側の第２回動ユニットの構成を示す分解斜視図である。
　【図１３】　右側の第２回動ユニットの構成を示す分解斜視図である。
　【図１４】　同じく右側の第２回動ユニットの構成を示す分解斜視図である。
　【図１５】　第２演出装置の構成を示す分解斜視図である。
　【図１６】　同じく第２演出装置の構成を示す分解斜視図である。
　【図１７】　（ａ）（ｂ）は移動部の構造を示す分解斜視図である。
　【図１８】　（ａ）は移動部を示す正面図、（ｂ）は右側面図、（ｃ）は（ａ）のＡ−Ａ断面図である。
　【図１９】　装飾ユニットを示す正面図である。
　【図２０】　図１９のＢ−Ｂ断面図である。
　【図２１】　（ａ）は図１９のＣ−Ｃ断面図、（ｂ）は第１，２演出位置に移動した状態を示す断面図である。
　【図２２】　図１９のＤ−Ｄ断面図である。
　【図２３】　（ａ）は第１回動ユニットが第１演出位置に位置した状態、（ｂ）は第２回動ユニットが第２演出位置に、第２演出装置が下方位置に位置した状態を示す概略正面図である。
　【図２４】　（ａ）は第１回動ユニットが第１演出位置に位置した状態を示す概略平面図、（ｂ）は第２回動ユニットが第２演出位置に位置した状態を示す概略平面図である。
　【図２５】　（ａ）は本発明の変形例としての第１演出装置の動作態様を示す概略図、（ｂ）はさらに他の変形例としての第１演出装置の動作態様を示す概略図である。
　【図２６】　（ａ）は本発明の他の変形例としての第１演出装置を示す概略図、（ｂ）はさらに他の変形例としての第１演出装置を示す概略図である。
　【図２７】　（ａ）は第２演出装置の配線状況を示す概略正面図、（ｂ）は（ａ）のＥ−Ｅ断面図である。
　【図２８】　（ａ）は移動部を示す拡大図、（ｂ）はスパイラルチューブ、（ｃ）は図２７（ｂ）の要部拡大断面図である。
　【発明を実施するための形態】
　【００１２】
　本発明の実施例を図面に基づいて以下に説明する。
　【実施例】
　【００１３】
　まず、遊技機の一例であるパチンコ遊技機１の全体の構成について説明する。図１はパチンコ遊技機１を正面からみた正面図である。図２は、パチンコ遊技機を示す背面図である。図３は、主基板における回路構成の一例を示すブロック図である。
　【００１４】
　パチンコ遊技機１は、図１及び図２に示すように、縦長の方形枠状に形成された外枠１００と、外枠１００に開閉可能に取り付けられた前面枠１０１と、で主に構成されている。前面枠１０１の前面には、ガラス扉枠１０２及び下扉枠１０３がそれぞれ左側辺を中心に開閉可能に設けられている。
　【００１５】
　下扉枠１０３の下部表面には打球供給皿（上皿）３がある。打球供給皿３の下部には、打球供給皿３に収容しきれない遊技球を貯留する余剰球受皿４（下皿）や、打球を発射する打球操作ハンドル（操作ノブ）５が設けられている。また、ガラス扉枠１０２の背面には、遊技盤６が前面枠１０１に対して着脱可能に取り付けられている。
　【００１６】
　遊技盤６は、遊技領域７が前面に形成された透明な合成樹脂材からなる盤面板（図示略）と、所定の厚み幅寸法を有し、盤面板を取り付ける取付面が前面に設けられたスペーサ部材（図示略）と、から構成され、該遊技盤６の背面側には、演出表示装置９及び演出制御基板８０等を含む変動表示制御ユニット（図示略）等の遊技に関連する遊技用部品が組み付けられる遊技用部品ユニット３１０が一体的に組み付けられている（図２参照）。
　【００１７】
　遊技用部品ユニット３１０は、遊技盤６と、該遊技盤６の背面側に配置され、遊技盤６を背面側から装飾する装飾ユニット３５０（図４参照）と、該装飾ユニット３５０の背面に取り付けられ、演出表示装置９及び演出制御基板８０等を含む変動表示制御ユニット（図示略）と、から主に構成され、遊技盤６に対して着脱可能に取り付けられる。
　【００１８】
　図１に戻って、遊技領域７の中央付近には、それぞれが演出用の飾り図柄（演出図柄）を可変表示する複数の可変表示部を含む演出表示装置（飾り図柄表示装置）９が設けられている。演出表示装置９には、例えば「左」、「中」、「右」の３つの可変表示部（図柄表示エリア）がある。演出表示装置９は、第１特別図柄表示器８ａまたは第２特別図柄表示器８ｂによる特別図柄の可変表示期間中に、装飾用（演出用）の図柄としての演出図柄の可変表示を行う。演出図柄の可変表示を行う演出表示装置９は、演出制御基板８０に搭載されている演出制御用マイクロコンピュータによって制御される。
　【００１９】
　遊技盤６における右側下部位置には、第１識別情報としての第１特別図柄を可変表示する第１特別図柄表示器（第１可変表示手段）８ａが設けられている。この実施例では、第１特別図柄表示器８ａは、０〜９の数字を可変表示可能な簡易で小型の表示器（例えば７セグメントＬＥＤ）で実現されている。すなわち、第１特別図柄表示器８ａは、０〜９の数字（または、記号）を可変表示するように構成されている。また、第１特別図柄表示器８ａの上方位置には、第２識別情報としての第２特別図柄を可変表示する第２特別図柄表示器（第２可変表示手段）８ｂが設けられている。第２特別図柄表示器８ｂは、０〜９の数字を可変表示可能な簡易で小型の表示器（例えば７セグメントＬＥＤ）で実現されている。すなわち、第２特別図柄表示器８ｂは、０〜９の数字（または、記号）を可変表示するように構成されている。
　【００２０】
　この実施例では、第１特別図柄の種類と第２特別図柄の種類とは同じ（例えば、ともに０〜９の数字）であるが、種類が異なっていてもよい。また、第１特別図柄表示器８ａおよび第２特別図柄表示器８ｂは、それぞれ、例えば２つの７セグメントＬＥＤ等を用いて００〜９９の数字（または、２桁の記号）を可変表示するように構成されていてもよい。
　【００２１】
　以下、第１特別図柄と第２特別図柄とを特別図柄と総称することがあり、第１特別図柄表示器８ａと第２特別図柄表示器８ｂとを特別図柄表示器と総称することがある。
　【００２２】
　第１特別図柄の可変表示は、可変表示の実行条件である第１始動条件が成立（例えば、遊技球が第１始動入賞口１３ａに入賞したこと）した後、可変表示の開始条件（例えば、保留記憶数が０でない場合であって、第１特別図柄の可変表示が実行されていない状態であり、かつ、大当り遊技が実行されていない状態）が成立したことにもとづいて開始され、可変表示時間（変動時間）が経過すると表示結果（停止図柄）を導出表示する。また、第２特別図柄の可変表示は、可変表示の実行条件である第２始動条件が成立（例えば、遊技球が第２始動入賞口１３ｂに入賞したこと）した後、可変表示の開始条件（例えば、保留記憶数が０でない場合であって、第２特別図柄の可変表示が実行されていない状態であり、かつ、大当り遊技が実行されていない状態）が成立したことにもとづいて開始され、可変表示時間（変動時間）が経過すると表示結果（停止図柄）を導出表示する。なお、入賞とは、入賞口などのあらかじめ入賞領域として定められている領域に遊技球が入ったことである。また、表示結果を導出表示するとは、図柄（識別情報の例）を最終的に停止表示させることである。
　【００２３】
　演出表示装置９は、第１特別図柄表示器８ａでの第１特別図柄の可変表示時間中、および第２特別図柄表示器８ｂでの第２特別図柄の可変表示時間中に、装飾用（演出用）の図柄としての演出図柄（飾り図柄ともいう）の可変表示を行う。第１特別図柄表示器８ａにおける第１特別図柄の可変表示と、演出表示装置９における演出図柄の可変表示とは同期している。また、第２特別図柄表示器８ｂにおける第２特別図柄の可変表示と、演出表示装置９における演出図柄の可変表示とは同期している。同期とは、可変表示の開始時点および終了時点がほぼ同じ（全く同じでもよい。）であって、可変表示の期間がほぼ同じ（全く同じでもよい。）であることをいう。また、第１特別図柄表示器８ａにおいて大当り図柄が停止表示されるときと、第２特別図柄表示器８ｂにおいて大当り図柄が停止表示されるときには、演出表示装置９において大当りを想起させるような演出図柄の組み合せが停止表示される。
　【００２４】
　演出表示装置９の下方には、第１始動入賞口１３ａを有する入賞装置が設けられている。第１始動入賞口１３ａに入賞した遊技球は、遊技盤６の背面に導かれ、第１始動口スイッチ１４ａ（例えば、近接スイッチ）及び第１入賞確認スイッチ１４ｂ（例えば、フォトセンサ）によって検出される。
　【００２５】
　また、第１始動入賞口（第１始動口）１３ａを有する入賞装置の下側には、遊技球が入賞可能な第２始動入賞口１３ｂを有する可変入賞球装置１５が設けられている。第２始動入賞口（第２始動口）１３ｂに入賞した遊技球は、遊技盤６の背面に導かれ、第２始動口スイッチ１５ａ及び第２入賞確認スイッチ１５ｂによって検出される。可変入賞球装置１５は、ソレノイド１６によって開状態とされる。可変入賞球装置１５が開状態になることによって、遊技球が第２始動入賞口１３ｂに入賞可能になり（始動入賞し易くなり）、遊技者にとって有利な状態になる。可変入賞球装置１５が開状態になっている状態では、第１始動入賞口１３ａよりも、第２始動入賞口１３ｂに遊技球が入賞しやすい。また、可変入賞球装置１５が閉状態になっている状態では、遊技球は第２始動入賞口１３ｂに入賞しない。なお、可変入賞球装置１５が閉状態になっている状態において、入賞はしづらいものの、入賞することは可能である（すなわち、遊技球が入賞しにくい）ように構成されていてもよい。
　【００２６】
　また、第１始動口スイッチ１４ａと第１入賞確認スイッチ１４ｂの検出結果及び第２始動口スイッチ１５ａと第２入賞確認スイッチ１５ｂの検出結果にもとづいて異常入賞の発生の有無が判定され、異常入賞の発生を検出したことにもとづいてセキュリティ信号が外部出力される。
　【００２７】
　以下、第１始動入賞口１３ａと第２始動入賞口１３ｂとを総称して始動入賞口または始動口ということがある。
　【００２８】
　可変入賞球装置１５が開放状態に制御されているときには可変入賞球装置１５に向かう遊技球は第２始動入賞口１３ｂに極めて入賞しやすい。そして、第１始動入賞口１３ａは演出表示装置９の直下に設けられているが、演出表示装置９の下端と第１始動入賞口１３ａとの間の間隔をさらに狭めたり、第１始動入賞口１３ａの周辺で釘を密に配置したり、第１始動入賞口１３ａの周辺での釘配列を、遊技球を第１始動入賞口１３ａに導きづらくして、第２始動入賞口１３ｂの入賞率の方を第１始動入賞口１３ａの入賞率よりもより高くするようにしてもよい。
　【００２９】
　第２特別図柄表示器８ｂの上部には、第１始動入賞口１３ａに入った有効入賞球数すなわち第１保留記憶数（保留記憶を、始動記憶または始動入賞記憶ともいう。）を表示する第１特別図柄保留記憶表示部と、該第１特別図柄保留記憶表示部とは別個に設けられ、第２始動入賞口１３ｂに入った有効入賞球数すなわち第２保留記憶数を表示する第２特別図柄保留記憶表示部と、が設けられた例えば７セグメントＬＥＤからなる特別図柄保留記憶表示器１８が設けられている。第１特別図柄保留記憶表示部は、第１保留記憶数を入賞順に４個まで表示し、有効始動入賞がある毎に、点灯する表示器の数を１増やす。そして、第１特別図柄表示器８ａでの可変表示が開始される毎に、点灯する表示器の数を１減らす。また、第２特別図柄保留記憶表示部は、第２保留記憶数を入賞順に４個まで表示し、有効始動入賞がある毎に、点灯する表示器の数を１増やす。そして、第２特別図柄表示器８ｂでの可変表示が開始される毎に、点灯する表示器の数を１減らす。なお、この例では、第１始動入賞口１３ａへの入賞による始動記憶数及び第２始動入賞口１３ｂへの入賞による始動記憶数に上限数（４個まで）が設けられているが、上限数を４個以上にしてもよい。
　【００３０】
　また、演出表示装置９の表示画面には、第１保留記憶数を表示する第１保留記憶表示部９ａと、第２保留記憶数を表示する第２保留記憶表示部９ｂとが設けられている。なお、第１保留記憶数と第２保留記憶数との合計である合計数（合算保留記憶数）を表示する領域（合算保留記憶表示部）が設けられるようにしてもよい。そのように、合計数を表示する合算保留記憶表示部が設けられているようにすれば、可変表示の開始条件が成立していない実行条件の成立数の合計を把握しやすくすることができる。
　【００３１】
　なお、この実施例では、図１に示すように、第２始動入賞口１３ｂに対してのみ開閉動作を行う可変入賞球装置１５が設けられているが、第１始動入賞口１３ａおよび第２始動入賞口１３ｂのいずれについても開閉動作を行う可変入賞球装置が設けられている構成であってもよい。
　【００３２】
　また、図１に示すように、可変入賞球装置１５の下方には、特別可変入賞球装置２０が設けられている。特別可変入賞球装置２０は大入賞口扉を備え、第１特別図柄表示器８ａに特定表示結果（大当り図柄）が導出表示されたとき、および第２特別図柄表示器８ｂに特定表示結果（大当り図柄）が導出表示されたときに生起する特定遊技状態（大当り遊技状態）においてソレノイド２１によって大入賞口扉が開放状態に制御されることによって、入賞領域となる大入賞口が開放状態になる。
　【００３３】
　大入賞口内には、大入賞口内に入賞した遊技球を検出可能な２つのスイッチ（カウントスイッチ２３と第３入賞確認スイッチ２３ａ）が設けられている。この実施例では、大入賞口内で、カウントスイッチ２３と第３入賞確認スイッチ２３ａとが配置されている（本例では、カウントスイッチ２３が上側に配置され、第３入賞確認スイッチ２３ａが下側に配置されている）。従って、この実施例では、大入賞口内に入賞した遊技球は、遊技盤６の背面に導かれ、まずカウントスイッチ２３で検出され、次いで第３入賞確認スイッチ２３ａで検出される。
　【００３４】
　カウントスイッチ２３によって遊技球が検出されたことに基づき、所定個数（例えば１５個）の遊技球が賞球として払い出される。こうして、特別可変入賞球装置２０において開放状態となった大入賞口を遊技球が通過（進入）したときには、例えば第１始動入賞口１３ａや第２始動入賞口１３ｂといった、他の入賞口を遊技球が通過（進入）したときよりも多くの賞球が払い出される。したがって、特別可変入賞球装置２０において大入賞口が開放状態となれば、遊技者にとって有利な第１状態となる。その一方で、特別可変入賞球装置２０において大入賞口が閉鎖状態となれば、大入賞口に遊技球を通過（進入）させて賞球を得ることができないため、遊技者にとって不利な第２状態となる。
　【００３５】
　第１特別図柄表示器８ａの右側には、普通図柄表示器１０が設けられている。普通図柄表示器１０は、例えば２つのランプからなる。遊技球がゲート３２を通過しゲートスイッチ３２ａで検出されると、普通図柄表示器１０の表示の可変表示が開始される。この実施例では、上下のランプ（点灯時に図柄が視認可能になる）が交互に点灯することによって可変表示が行われ、例えば、可変表示の終了時に下側のランプが点灯すれば当りとなる。そして、普通図柄表示器１０の下側のランプが点灯して当りである場合に、可変入賞球装置１５が所定回数、所定時間だけ開状態になる。すなわち、可変入賞球装置１５の状態は、下側のランプが点灯して当りである場合に、遊技者にとって不利な状態から有利な状態（第２始動入賞口１３ｂに遊技球が入賞可能な状態）に変化する。特別図柄保留記憶表示器１８の上部には、ゲート３２を通過した入賞球数を表示する４つの表示部（例えば、７セグメントＬＥＤのうち４つのセグメント）を有する普通図柄保留記憶表示器４１が設けられている。ゲート３２への遊技球の通過がある毎に、すなわちゲートスイッチ３２ａによって遊技球が検出される毎に、普通図柄保留記憶表示器４１は点灯する表示部を１増やす。そして、普通図柄表示器１０の可変表示が開始される毎に、点灯する表示部を１減らす。
　【００３６】
　なお、７セグメントＬＥＤからなる普通図柄保留記憶表示器４１には、ゲート３２を通過した入賞球数を表示する４つの表示部（セグメント）とともに、例えば大当り時における特別可変入賞球装置２０の開放回数（大当りラウンド数）を示す２つの表示部（セグメント）、及び遊技状態を示す２つの表示部（セグメント）が設けられているが、これら表示部を普通図柄保留記憶表示部とは別個の表示器にて構成してもよい。また、普通図柄表示器１０は、普通図柄と呼ばれる複数種類の識別情報（例えば、「○」および「×」）を可変表示可能なセグメントＬＥＤ等にて構成してもよい。
　【００３７】
　特別可変入賞球装置２０の周辺には普通入賞装置の入賞口２９ａ〜２９ｄが設けられ、入賞口２９ａ，２９ｃに入賞した遊技球は入賞口スイッチ３０ａによって検出され、入賞口２９ｂ，２９ｄに入賞した遊技球は入賞口スイッチ３０ｂによって検出される。各入賞口２９ａ〜２９ｄは、遊技球を受け入れて入賞を許容する領域として遊技盤６に設けられる入賞領域を構成している。なお、第１始動入賞口１３ａ、第２始動入賞口１３ｂや大入賞口も、遊技球を受け入れて入賞を許容する入賞領域を構成する。
　【００３８】
　遊技領域７の左側には、遊技中に点滅表示される装飾ＬＥＤ２５ａを有する装飾部材２５が設けられ、下部には、入賞しなかった遊技球を吸収するアウト口２６がある。また、遊技領域７の外側の左右上下部には、効果音を発する４つのスピーカ２７が設けられている。遊技領域７の外周には、天枠ＬＥＤ２８ａ、左枠ＬＥＤ２８ｂおよび右枠ＬＥＤ２８ｃが設けられている。天枠ＬＥＤ２８ａ、左枠ＬＥＤ２８ｂおよび右枠ＬＥＤ２８ｃおよび装飾ＬＥＤ２５ａは、遊技機に設けられている装飾発光体の一例である。
　【００３９】
　図１および図２では、図示を省略しているが、左枠ＬＥＤ２８ｂの近傍に、賞球払出中に点灯する賞球ランプが設けられ、天枠ＬＥＤ２８ａの近傍に、補給球が切れたときに点灯する球切れランプが設けられている。なお、賞球ランプおよび球切れランプは、賞球の払出中である場合や球切れが検出された場合に、演出制御基板に搭載された演出制御用マイクロコンピュータによって点灯制御される。さらに、特に図示はしないが、プリペイドカードが挿入されることによって球貸しを可能にするプリペイドカードユニット（以下、「カードユニット」という。）５０が、パチンコ遊技機１に隣接して設置されている。
　【００４０】
　遊技者の操作により、後述する打球発射装置から発射された遊技球は、発射球案内通路（図示略）を通って遊技領域７に入り、その後、遊技領域７を下りてくる。遊技球が第１始動入賞口１３ａに入り第１始動口スイッチ１４ａで検出されると、第１特別図柄の可変表示を開始できる状態であれば（例えば、特別図柄の可変表示が終了し、第１の開始条件が成立したこと）、第１特別図柄表示器８ａにおいて第１特別図柄の可変表示（変動）が開始されるとともに、演出表示装置９において演出図柄（飾り図柄）の可変表示が開始される。すなわち、第１特別図柄および演出図柄の可変表示は、第１始動入賞口１３ａへの入賞に対応する。第１特別図柄の可変表示を開始できる状態でなければ、第１保留記憶数が上限値に達していないことを条件として、第１保留記憶数を１増やす。
　【００４１】
　遊技球が第２始動入賞口１３ｂに入り第２始動口スイッチ１５ａで検出されると、第２特別図柄の可変表示を開始できる状態であれば（例えば、特別図柄の可変表示が終了し、第２の開始条件が成立したこと）、第２特別図柄表示器８ｂにおいて第２特別図柄の可変表示（変動）が開始されるとともに、演出表示装置９において演出図柄（飾り図柄）の可変表示が開始される。すなわち、第２特別図柄および演出図柄の可変表示は、第２始動入賞口１３ｂへの入賞に対応する。第２特別図柄の可変表示を開始できる状態でなければ、第２保留記憶数が上限値に達していないことを条件として、第２保留記憶数を１増やす。
　【００４２】
　第１特別図柄表示器８ａにおける第１特別図柄の可変表示及び第２特別図柄表示器８ｂにおける第２特別図柄の可変表示は、一定時間が経過したときに停止する。停止時の特別図柄（停止図柄）が大当り図柄（特定表示結果）であると「大当り」となり、停止時の特別図柄（停止図柄）が大当り図柄とは異なる所定の小当り図柄（所定表示結果）であると「小当り」となり、停止時の特別図柄（停止図柄）が大当り図柄及び小当り図柄とは異なる特別図柄が停止表示されれば「ハズレ」となる。
　【００４３】
　特図ゲームでの可変表示結果が「大当り」になった後には、遊技者にとって有利なラウンド（「ラウンド遊技」ともいう）を所定回数実行する特定遊技状態としての大当り遊技状態に制御される。また、特図ゲームでの可変表示結果が「小当り」になった後には、大当り遊技状態とは異なる小当り遊技状態に制御される。
　【００４４】
　演出表示装置９に設けられた「左」、「中」、「右」の飾り図柄表示エリアでは、第１特別図柄表示器８ａにおける第１特図を用いた特図ゲームと、第２特別図柄表示器８ｂにおける第２特図を用いた特図ゲームとのうち、いずれかの特図ゲームが開始されることに対応して、飾り図柄の可変表示（変動表示）が開始される。そして、飾り図柄の可変表示が開始されてから「左」、「中」、「右」の各飾り図柄表示エリアにおける確定飾り図柄の停止表示により可変表示が終了するまでの期間では、飾り図柄の可変表示状態が所定のリーチ状態となることがある。ここで、リーチ状態とは、演出表示装置９の表示領域にて仮停止表示された飾り図柄が大当り組み合せの一部を構成しているときに未だ仮停止表示もされていない飾り図柄（「リーチ変動図柄」ともいう）については変動が継続している表示状態、あるいは、全部又は一部の飾り図柄が大当り組み合せの全部又は一部を構成しながら同期して変動している表示状態のことである。具体的には、「左」、「中」、「右」の飾り図柄表示エリアにおける一部（例えば「左」及び「右」の飾り図柄表示エリアなど）では予め定められた大当り組み合せを構成する飾り図柄（例えば「７」の英数字を示す飾り図柄）が仮停止表示されているときに未だ仮停止表示もしていない残りの飾り図柄表示エリア（例えば「中」の飾り図柄表示エリアなど）では飾り図柄が変動している表示状態、あるいは、「左」、「中」、「右」の飾り図柄表示エリアにおける全部又は一部で飾り図柄が大当り組み合せの全部又は一部を構成しながら同期して変動している表示状態である。
　【００４５】
　次に、パチンコ遊技機１の背面の構造について図２を参照して説明する。図２は、遊技機を背面から見た背面図である。図２に示すように、パチンコ遊技機１の背面側では、演出表示装置９を制御する演出制御用マイクロコンピュータが搭載された演出制御基板８０を含む変動表示制御ユニット４９、遊技制御用マイクロコンピュータ等が搭載された遊技制御基板（主基板）３１、音声制御基板７０、ランプドライバ基板３５、および球払出制御を行なう払出制御用マイクロコンピュータ等が搭載された払出制御基板３７等の各種基板が設置されている。なお、遊技制御基板３１は基板収納ケース１５０に収納されている。
　【００４６】
　さらに、パチンコ遊技機１背面側には、ＤＣ３０Ｖ、ＤＣ２１Ｖ、ＤＣ１２ＶおよびＤＣ５Ｖ等の各種電源電圧を作成する電源回路が搭載された電源基板９０やタッチセンサ基板（図示略）が設けられている。電源基板９０には、パチンコ遊技機１における遊技制御基板３１および各電気部品制御基板（演出制御基板８０および払出制御基板３７）やパチンコ遊技機１に設けられている各電気部品（電力が供給されることによって動作する部品）への電力供給を実行あるいは遮断するための電力供給許可手段としての電源スイッチ、遊技制御基板３１の遊技制御用マイクロコンピュータ１５６のＲＡＭ５５をクリアするためのクリアスイッチが設けられている。さらに、電源スイッチの内側（基板内部側）には、交換可能なヒューズが設けられている。
　【００４７】
　なお、この実施例では、主基板３１は遊技盤側に設けられ、払出制御基板３７は遊技枠側に設けられている。このような構成であっても、後述するように、主基板３１と払出制御基板３７との間の通信をシリアル通信で行うことによって、遊技盤を交換する際の配線の取り回しを容易にしている。
　【００４８】
　なお、各制御基板には、制御用マイクロコンピュータを含む制御手段が搭載されている。制御手段は、遊技制御手段等からのコマンドとしての指令信号（制御信号）に従って遊技機に設けられている電気部品（遊技用装置：球払出装置９７、演出表示装置９、ランプやＬＥＤなどの発光体、スピーカ２７等）を制御する。以下、主基板３１を制御基板に含めて説明を行うことがある。その場合には、制御基板に搭載される制御手段は、遊技制御手段と、遊技制御手段等からの指令信号に従って遊技機に設けられている電気部品を制御する手段とのそれぞれを指す。また、主基板３１以外のマイクロコンピュータが搭載された基板をサブ基板ということがある。なお、球払出装置９７は、遊技球を誘導する通路とステッピングモータ等により駆動されるスプロケット等によって誘導された遊技球を上皿や下皿に払い出すための装置であって、払い出された賞球や貸し球をカウントする払出個数カウントスイッチ等もユニットの一部として構成されている。なお、この実施例では、払出検出手段は、払出個数カウントスイッチによって実現され、球払出装置９７から実際に賞球や貸し球が払い出されたことを検出する機能を備える。この場合、払出個数カウントスイッチは、賞球や貸し球の払い出しを１球検出するごとに検出信号を出力する。
　【００４９】
　パチンコ遊技機１の背面には、各種情報をパチンコ遊技機１の外部に出力するための各端子を備えたターミナル基板９１が設置されている。ターミナル基板９１には、例えば、大当り遊技状態の発生を示す大当り情報等の情報出力信号（始動口信号、図柄確定回数１信号、大当り１信号、大当り２信号、大当り３信号、時短信号、セキュリティ信号、賞球信号１、遊技機エラー状態信号）を外部出力するための情報出力端子が設けられている。なお、遊技機エラー状態信号に関しては必ずしもパチンコ遊技機１の外部に出力しなくてもよく、該情報出力端子から、この遊技機エラー状態信号の替わりに遊技枠が開放状態であることを示すドア開放信号等を出力するようにしてもよい。
　【００５０】
　貯留タンク３８に貯留された遊技球は誘導レールを通り、カーブ樋を経て払出ケース９７ａで覆われた球払出装置９７に至る。球払出装置９７の上方には、遊技媒体切れ検出手段としての球切れスイッチ４３が設けられている。球切れスイッチ４３が球切れを検出すると、球払出装置９７の払出動作が停止する。球切れスイッチ４３が遊技球の不足を検知すると、遊技機設置島に設けられている補給機構からパチンコ遊技機１に対して遊技球の補給が行なわれる。
　【００５１】
　入賞にもとづく景品としての遊技球や球貸し要求にもとづく遊技球が多数払出されて打球供給皿３が満杯になると、遊技球は、余剰球誘導通路を経て余剰球受皿４に導かれる。さらに遊技球が払出されると、感知レバー（図示略）が貯留状態検出手段としての満タンスイッチ（図示略）を押圧して、貯留状態検出手段としての満タンスイッチがオンする。その状態では、球払出装置内の払出モータの回転が停止して球払出装置の動作が停止するとともに打球発射装置の駆動も停止する。
　【００５２】
　図３は、主基板（遊技制御基板）３１における回路構成の一例を示すブロック図である。なお、図３には、払出制御基板３７および演出制御基板８０等も示されている。主基板３１には、プログラムに従ってパチンコ遊技機１を制御する遊技制御用マイクロコンピュータ（遊技制御手段に相当）１５６が搭載されている。遊技制御用マイクロコンピュータ１５６は、ゲーム制御（遊技進行制御）用のプログラム等を記憶するＲＯＭ５４、ワークメモリとして使用される記憶手段としてのＲＡＭ５５、プログラムに従って制御動作を行うＣＰＵ５６およびＩ／Ｏポート部５７を含む。この実施例では、ＲＯＭ５４およびＲＡＭ５５は遊技制御用マイクロコンピュータ１５６に内蔵されている。すなわち、遊技制御用マイクロコンピュータ１５６は、１チップマイクロコンピュータである。１チップマイクロコンピュータには、少なくともＲＡＭ５５が内蔵されていればよく、ＲＯＭ５４は外付けであっても内蔵されていてもよい。また、Ｉ／Ｏポート部５７は、外付けであってもよい。遊技制御用マイクロコンピュータ１５６には、さらに、ハードウェア乱数（ハードウェア回路が発生する乱数）を発生する乱数回路６０が内蔵されている。
　【００５３】
　なお、遊技制御用マイクロコンピュータ１５６においてＣＰＵ５６がＲＯＭ５４に格納されているプログラムに従って制御を実行するので、以下、遊技制御用マイクロコンピュータ１５６（またはＣＰＵ５６）が実行する（または、処理を行う）ということは、具体的には、ＣＰＵ５６がプログラムに従って制御を実行することである。このことは、主基板３１以外の他の基板に搭載されているマイクロコンピュータについても同様である。
　【００５４】
　また、遊技制御用マイクロコンピュータ１５６には、乱数回路６０が内蔵されている。乱数回路６０は、特別図柄の可変表示の表示結果により大当りとするか否か判定するための判定用の乱数を発生するために用いられるハードウェア回路である。乱数回路６０は、初期値（例えば、０）と上限値（例えば、６５５３５）とが設定された数値範囲内で、数値データを、設定された更新規則に従って更新し、ランダムなタイミングで発生する始動入賞時が数値データの読出（抽出）時であることにもとづいて、読出される数値データが乱数値となる乱数発生機能を有する。
　【００５５】
　乱数回路６０は、特別図柄の可変表示の表示結果により大当りとするか否か判定するための判定用の乱数を発生するために用いられるハードウェア回路である。乱数回路６０は、初期値（例えば、０）と上限値（例えば、６５５３５）とが設定された数値範囲内で、数値データを、設定された更新規則に従って更新し、ランダムなタイミングで発生する始動入賞時が数値データの読出（抽出）時であることにもとづいて、読出される数値データが乱数値となる乱数発生機能を有する。
　【００５６】
　乱数回路６０は、数値データの更新範囲の選択設定機能（初期値の選択設定機能、および、上限値の選択設定機能）、数値データの更新規則の選択設定機能、および数値データの更新規則の選択切換え機能等の各種の機能を有する。このような機能によって、生成する乱数のランダム性を向上させることができる。
　【００５７】
　また、遊技制御用マイクロコンピュータ１５６は、乱数回路６０が更新する数値データの初期値を設定する機能を有している。例えば、ＲＯＭ５４等の所定の記憶領域に記憶された遊技制御用マイクロコンピュータ１５６のＩＤナンバ（遊技制御用マイクロコンピュータ１５６の各製品ごとに異なる数値で付与されたＩＤナンバ）を用いて所定の演算を行って得られた数値データを、乱数回路６０が更新する数値データの初期値として設定する。そのような処理を行うことによって、乱数回路６０が発生する乱数のランダム性をより向上させることができる。
　【００５８】
　遊技制御用マイクロコンピュータ１５６は、第１始動口スイッチ１４ａまたは第２始動口スイッチ１５ａへの始動入賞が生じたときに乱数回路６０から数値データをランダムＲとして読み出し、特別図柄および演出図柄の変動開始時にランダムＲにもとづいて特定の表示結果としての大当り表示結果にするか否か、すなわち、大当りとするか否かを決定する。そして、大当りとすると決定したときに、遊技状態を遊技者にとって有利な特定遊技状態としての大当り遊技状態に移行させる。
　【００５９】
　また、遊技制御用マイクロコンピュータ１５６には、払出制御基板３７（の払出制御用マイクロコンピュータ）や演出制御基板８０（の演出制御用マイクロコンピュータ）とシリアル通信で信号を入出力（送受信）するためのシリアル通信回路６１が内蔵されている。なお、払出制御用マイクロコンピュータや演出制御用マイクロコンピュータにも、遊技制御用マイクロコンピュータ１５６とシリアル通信で信号を入出力するためのシリアル通信回路が内蔵されている（図示略）。
　【００６０】
　また、ＲＡＭ５５は、その一部または全部が電源基板において作成されるバックアップ電源によってバックアップされている不揮発性記憶手段としてのバックアップＲＡＭである。すなわち、遊技機に対する電力供給が停止しても、所定期間（バックアップ電源としてのコンデンサが放電してバックアップ電源が電力供給不能になるまで）は、ＲＡＭ５５の一部または全部の内容は保存される。特に、少なくとも、遊技状態すなわち遊技制御手段の制御状態に応じたデータ（特別図柄プロセスフラグや保留記憶数カウンタの値など）と未払出賞球数を示すデータ（具体的には、後述する賞球コマンド出力カウンタの値）は、バックアップＲＡＭに保存される。遊技制御手段の制御状態に応じたデータとは、停電等が生じた後に復旧した場合に、そのデータにもとづいて、制御状態を停電等の発生前に復旧させるために必要なデータである。また、制御状態に応じたデータと未払出賞球数を示すデータとを遊技の進行状態を示すデータと定義する。なお、この実施例では、ＲＡＭ５５の全部が、電源バックアップされているとする。
　【００６１】
　遊技制御用マイクロコンピュータ１５６のリセット端子には、電源基板からのリセット信号が入力される。電源基板には、遊技制御用マイクロコンピュータ１５６等に供給されるリセット信号を生成するリセット回路が搭載されている。なお、リセット信号がハイレベルになると遊技制御用マイクロコンピュータ１５６等は動作可能状態になり、リセット信号がローレベルになると遊技制御用マイクロコンピュータ１５６等は動作停止状態になる。従って、リセット信号がハイレベルである期間は、遊技制御用マイクロコンピュータ１５６等の動作を許容する許容信号が出力されていることになり、リセット信号がローレベルである期間は、遊技制御用マイクロコンピュータ１５６等の動作を停止させる動作停止信号が出力されていることになる。なお、リセット回路をそれぞれの電気部品制御基板（電気部品を制御するためのマイクロコンピュータが搭載されている基板）に搭載してもよい。
　【００６２】
　さらに、遊技制御用マイクロコンピュータ１５６の入力ポートには、電源基板からの電源電圧が所定値以下に低下したことを示す電源断信号が入力される。すなわち、電源基板には、遊技機において使用される所定電圧（例えば、ＤＣ３０ＶやＤＣ５Ｖなど）の電圧値を監視して、電圧値があらかじめ定められた所定値にまで低下すると（電源電圧の低下を検出すると）、その旨を示す電源断信号を出力する電源監視回路が搭載されている。なお、電源監視回路を電源基板に搭載するのではなく、バックアップ電源によって電源バックアップされる基板（例えば、主基板３１）に搭載するようにしてもよい。また、遊技制御用マイクロコンピュータ１５６の入力ポートには、ＲＡＭの内容をクリアすることを指示するためのクリアスイッチが操作されたことを示すクリア信号が入力される。
　【００６３】
　また、ゲートスイッチ３２ａ、第１始動口スイッチ１４ａ、第１入賞確認スイッチ１４ｂ、第２始動口スイッチ１５ａ、第２入賞確認スイッチ１５ｂ、カウントスイッチ２３、第３入賞確認スイッチ２３ａおよび各入賞口スイッチ３０ａ，３０ｂからの検出信号を基本回路に与える入力ドライバ回路５８も主基板３１に搭載され、可変入賞球装置１５を開閉するソレノイド１６、特別可変入賞球装置２０を開閉するソレノイド２１と、基本回路からの指令に従って駆動する出力回路５９も主基板３１に搭載され、電源投入時に遊技制御用マイクロコンピュータ１５６をリセットするためのシステムリセット回路（図示せず）や、大当り遊技状態の発生を示す大当り情報等の情報出力信号を、ターミナル基板９１を介して、ホールコンピュータ等の外部装置に対して出力する情報出力回路６４も主基板３１に搭載されている。
　【００６４】
　この実施例では、演出制御基板８０に搭載されている演出制御手段（演出制御用マイクロコンピュータで構成される。）が、中継基板７７を介して遊技制御用マイクロコンピュータ１５６から演出内容を指示する演出制御コマンドを受信し、演出図柄を可変表示する演出表示装置９との表示制御を行う。
　【００６５】
　演出制御基板８０は、演出制御用ＣＰＵおよびＲＡＭを含む演出制御用マイクロコンピュータ（図示略）を搭載している。なお、ＲＡＭは外付けであってもよい。演出制御基板８０において、演出制御用ＣＰＵ（図示略）は、内蔵または外付けのＲＯＭ（図示略）に格納されたプログラムに従って動作し、中継基板７７を介して入力される主基板３１からの取込信号（演出制御ＩＮＴ信号）に応じて、入力ドライバおよび入力ポートを介して演出制御コマンドを受信する。また、演出制御用ＣＰＵ（図示略）は、演出制御コマンドにもとづいて、ＶＤＰ（ビデオディスプレイプロセッサ）に演出表示装置９の表示制御を行わせる。
　【００６６】
　演出制御用ＣＰＵ（図示略）は、受信した演出制御コマンドに従ってキャラクタＲＯＭ（図示せず）から必要なデータを読み出す。キャラクタＲＯＭは、演出表示装置９に表示されるキャラクタ画像データ、具体的には、人物、文字、図形または記号等（演出図柄を含む）をあらかじめ格納しておくためのものである。演出制御用ＣＰＵ（図示略）は、キャラクタＲＯＭから読み出したデータをＶＤＰに出力する。ＶＤＰは、演出制御用ＣＰＵから入力されたデータにもとづいて表示制御を実行する。
　【００６７】
　演出制御コマンドおよび演出制御ＩＮＴ信号は、演出制御基板８０において、まず、入力ドライバに入力する。入力ドライバは、中継基板７７から入力された信号を演出制御基板８０の内部に向かう方向にしか通過させない（演出制御基板８０の内部から中継基板７７への方向には信号を通過させない）信号方向規制手段としての単方向性回路でもある。
　【００６８】
　中継基板７７には、主基板３１から入力された信号を演出制御基板８０に向かう方向にしか通過させない（演出制御基板８０から中継基板７７への方向には信号を通過させない）信号方向規制手段としての単方向性回路（図示略）が搭載されている。単方向性回路として、例えばダイオードやトランジスタが使用される。さらに、単方向性回路であるＩ／Ｏポート部５７を介して主基板３１から演出制御コマンドおよび演出制御ＩＮＴ信号が出力されるので、中継基板７７から主基板３１の内部に向かう信号が規制される。すなわち、中継基板７７からの信号は主基板３１の内部（遊技制御用マイクロコンピュータ１５６側）に入り込まない。
　【００６９】
　さらに、演出制御用ＣＰＵ（図示略）は、出力ポート（図示略）を介してランプドライバ基板３５に対してＬＥＤを駆動する信号を出力する。また、演出制御用ＣＰＵは、出力ポートを介して音声制御基板７０に対して音番号データを出力する。また、演出制御用ＣＰＵは、出力ポート（図示略）を介して、第１回動モータ４１３Ｌ，４１３Ｒ、装飾モータ４２１Ｌａ，４２１Ｌｂ、４２１Ｒａ，４２１Ｒｂ、第２回動モータ４７３Ｌ，４７３Ｒ、昇降モータ５２５に対して駆動データを出力する。また、演出制御用ＣＰＵは、入力ポート（図示略）を介して第１回動スイッチ４３３Ｌ，４３３Ｒから検出信号を入力する。
　【００７０】
　ランプドライバ基板３５において、ＬＥＤを駆動する信号は、入力ドライバ（図示略）を介してＬＥＤドライバに入力される。ＬＥＤドライバは、駆動信号を天枠ＬＥＤ２８ａ、左枠ＬＥＤ２８ｂ、右枠ＬＥＤ２８ｃ、第１回動ＬＥＤ４１６Ｌ，４１６Ｒ、昇降ＬＥＤ５３５などの枠側に設けられている各ＬＥＤに供給する。また、遊技盤側に設けられている装飾ＬＥＤ２５ａに駆動信号を供給する。なお、ＬＥＤ以外の発光体が設けられている場合には、それを駆動する駆動回路（ドライバ）がランプドライバ基板３５に搭載される。
　【００７１】
　音声制御基板７０において、音番号データは、入力ドライバ（図示略）を介して音声合成用ＩＣ（図示略）に入力される。音声合成用ＩＣは、音番号データに応じた音声や効果音を発生し増幅回路（図示略）に出力する。増幅回路は、音声合成用ＩＣの出力レベルを、ボリュームで設定されている音量に応じたレベルに増幅した音声信号をスピーカ２７に出力する。音声データＲＯＭ（図示略）には、音番号データに応じた制御データが格納されている。音番号データに応じた制御データは、所定期間（例えば演出図柄の変動期間）における効果音または音声の出力態様を時系列的に示すデータの集まりである。
　【００７２】
　（装飾ユニット）
　次に、装飾ユニット３５０について、図面にもとづいて説明していく。図４は、（ａ）は装飾ユニットを左斜め前から見た状態を示す斜視図、（ｂ）は右斜め前から見た状態を示す斜視図である。尚、以下の説明において、パチンコ遊技機１を正面から見た状態での上下左右方向を基準として説明する。
　【００７３】
　装飾ユニット３５０は、図１に示すように遊技盤６に形成された開口部（図示略）の開口周縁に嵌合されるセンター枠飾り１１により囲まれた領域内から後述する第１演出装置４００及び第２演出装置５００がそれぞれ前面側に臨むように、遊技盤６の背面に組み付けられている。
　【００７４】
　図４に示すように、装飾ユニット３５０は、非透光性の合成樹脂材により前面が開口する箱状に形成されるベース部材３５１と、該ベース部材３５１の前面側に組み付けられる第１演出装置４００Ｌ，４００Ｒ及び第２演出装置５００、図示しない各種遊技用部品や装飾部材、該ベース部材３５１の背面側に組み付けられる演出表示装置９及び演出制御基板８０等を含む変動表示制御ユニット（図示略）と、から構成される。
　【００７５】
　ベース部材３５１には、長方形状をなす表示用開口３５２が形成されており、該ベース部材３５１の背面側に設けられる演出表示装置９の表示画面を表示用開口３５２を介して前面側に臨ませることができるようになっている。また、第１演出装置４００Ｌ，４００Ｒは、表示用開口３５２の左右側に組み付けられ、前後方向を向く軸周りに回動可能に設けられている。第２演出装置５００は、表示用開口３５２の右側に組み付けられた案内レールを介して上下方向に移動可能に設けられている。
　【００７６】
　（第１演出装置）
　次に、第１演出装置４００について、図５〜図１４にもとづいて説明する。図５は、左側の第１回動ユニットを示す正面図である。図６は、左側の第１回動ユニットの構成を示す分解斜視図である。図７は、同じく左側の第１回動ユニットの構成を示す分解斜視図である。図８は、右側の第１回動ユニットを示す正面図である。図９は、右側の第１回動ユニットの構成を示す分解斜視図である。図１０は、同じく右側の第１回動ユニットの構成を示す分解斜視図である。図１１は、左側の第２回動ユニットの構成を示す分解斜視図である。図１２は、同じく左側の第２回動ユニットの構成を示す分解斜視図である。図１３は、右側の第２回動ユニットの構成を示す分解斜視図である。図１４は、同じく右側の第２回動ユニットの構成を示す分解斜視図である。
　【００７７】
　図４に示すように、第１演出装置４００Ｌ，４００Ｒは、ベース部材３５１における表示用開口３５２の左右側に左右方向に回動可能に設けられる第１回動ユニット４１０Ｌ，４１０Ｒと、これら第１回動ユニット４１０Ｌ，４１０Ｒの背面側に設けられる第２回動ユニット４７０Ｌ，４７０Ｒと、から主に構成されている。
　【００７８】
　第１回動ユニット４１０Ｌ，４１０Ｒは、円盤状をなす一対の装飾部を有し、該装飾部は、表示用開口３５２の側方位置にそれぞれ正面視略垂直姿勢をなすように退避する第１退避位置と、表示用開口３５２側に傾倒するように回動され、演出表示装置９の表示画面の前面側に重なるように配置される第１演出位置と、の間で回動可能に設けられている（図２３（ａ）参照）。尚、左右の第１回動ユニット４１０Ｌは、第１退避位置において遊技盤６の背面側に遊技者から視認困難となるように配置される。
　【００７９】
　第２回動ユニット４７０Ｌ，４７０Ｒは、所定長さを有する棒状部材から構成され、表示用開口３５２の側方位置においてそれぞれ正面視略垂直姿勢をなすように退避する第２退避位置と、表示用開口３５２側に傾倒するように回動され、演出表示装置９の表示画面の前面側に重なるように配置される第２演出位置と、の間で回動可能に設けられている（図２３（ｂ）参照）。尚、第２回動ユニット４７０Ｌ，４７０Ｒは、第１退避位置において第１回動ユニット４１０Ｌ，４１０Ｒの背面側に遊技者から視認困難となるように配置される。
　【００８０】
　（第１回動ユニット）
　以下、第１回動ユニット４１０Ｌ，４１０Ｒ及び第２回動ユニット４７０Ｌ，４７０Ｒの構造について説明していく。
　【００８１】
　図５〜図７に示すように、左側の第１回動ユニット４１０Ｌは、円盤状に形成され互いに上下に並んだ状態で連接された上装飾部４１１Ｌａ及び下装飾部４１１Ｌｂからなる装飾部４１１Ｌと該装飾部４１１Ｌを回動可能に支持する支持部４１２Ｌとからなる第１可動部と、該第１可動部を回転駆動する第１回動モータ４１３Ｌと、第１回動モータ４１３Ｌの駆動力を第１可動部に伝達する駆動伝達部材４１４Ｌと、から主に構成される。
　【００８２】
　装飾部４１１Ｌは、ほぼ同形の円盤形状に形成された取付盤４１５Ｌａ，４１５Ｌｂと、取付盤４１５Ｌａ，４１５Ｌｂに前面側から取り付けられ、前面に複数の第１回動ＬＥＤ４１６Ｌが設けられた第１ＬＥＤ基板４１７Ｌａ，４１７Ｌｂと、第１ＬＥＤ基板４１７Ｌａ，４１７Ｌｂの前面を被覆するように設けられるレンズ部材４１８Ｌａ，４１８Ｌｂと、取付盤４１５Ｌａ，４１５Ｌｂの周囲に取り付けられるリング部が互いに連接され一体化されてなる装飾枠４１９Ｌと、レンズ部材４１８Ｌａ，４１８Ｌｂの前面に回転可能に設けられる装飾部材４２０Ｌａ，４２０Ｌｂと、から構成されている。つまり、一対の取付盤４１５Ｌａ，４１５Ｌｂは装飾枠４１９Ｌにより一体化されている。
　【００８３】
　取付盤４１５Ｌａ，４１５Ｌｂの背面には、装飾モータ４２１Ｌａ，４２１Ｌｂが取り付けられているとともに、この装飾モータ４２１Ｌａ，４２１Ｌｂの駆動軸に固着された駆動ギヤ４２２Ｌａ，４２２Ｌｂに噛合する中間ギヤ４２３Ｌａ，４２３Ｌｂと、該中間ギヤ４２３Ｌａ，４２３Ｌｂを介して駆動ギヤ４２２Ｌａ，４２２Ｌｂに連結される従動ギヤ４２４Ｌａ，４２４Ｌｂと、が前後方向を向く軸周りに回動可能に設けられている。従動ギヤ４２４Ｌａ，４２４Ｌｂの前面中央には回動軸４２５Ｌａ，４２５Ｌｂが突設されており、この回動軸４２５Ｌａ，４２５Ｌｂは、取付盤４１５Ｌａ，４１５Ｌｂ、第１ＬＥＤ基板４１７Ｌａ，４１７Ｌｂ、レンズ部材４１８Ｌａ，４１８Ｌｂに形成された貫通孔を挿通して装飾部材４２０Ｌａ，４２０Ｌｂが先端に固着されている。
　【００８４】
　よって、装飾モータ４２１Ｌａ，４２１Ｌｂの駆動力が駆動ギヤ４２２Ｌａ，４２２Ｌｂ、中間ギヤ４２３Ｌａ，４２３Ｌｂ、従動ギヤ４２４Ｌａ，４２４Ｌｂを介して装飾部材４２０Ｌａ，４２０Ｌｂに伝達され、これにより装飾部材４２０Ｌａ，４２０Ｌｂが回動軸４２５Ｌａ，４２５Ｌｂを中心として回動するようになっている。
　【００８５】
　支持部４１２Ｌは板状部材からなり、上部に取付盤４１５Ｌｂの取付部４２６が設けられるとともに、下端に回動軸４２７が背面側に向けて突設されており、ベース部材３５１に回動軸４２７を介して軸支されている。前面には、ベース部材３５１に設けられるガイド溝（図示略）に摺動可能に係合されるガイドローラ４２８が設けられている。また、左端部には、一端がベース部材３５１に係止されたコイルバネ４２９の他端が係止されており、該コイルバネ４２９の付勢力により、支持部４１２Ｌが常に第１退避位置に向けて付勢されるようになっている。
　【００８６】
　駆動伝達部材４１４Ｌは、第１回動モータ４１３Ｌの駆動軸４１３ａに固着される回動盤４３０と、回動盤４３０の周縁近傍の偏心位置に一端が枢支されるとともに、支持部４１２Ｌの背面に他端が枢支されたリンク部材４３１と、から構成されており、第１回動モータ４１３Ｌにより回動盤４３０が回転されることで、駆動力がリンク部材４３１を介して支持部４１２Ｌに伝達され、これにより支持部４１２Ｌが回動軸４２７を中心として回動（揺動）するようになっている。また、回動盤４３０の周縁所定箇所には、第１回動スイッチ４３３Ｌにより第１回動ユニット４１０Ｌの駆動初期位置（本実施例では第１退避位置）を検出するための被検出部４３２が切欠形成されている。
　【００８７】
　第１回動モータ４１３Ｌは、ベース部材３５１の所定箇所に固設される取付板４３４の背面に、駆動軸４１３ａが取付板４３４の貫通孔から前面側に突出するように取り付けられている。また、取付板４３４の右側辺上部からは、帯板状に形成された規制片４３５が右側方に向けて略水平方向に延設されている。
　【００８８】
　規制片４３５は、取付板４３４の右側辺上部から右側に向けて延設され、その前面には平面状の第１規制面４３５ａが形成されているとともに、背面にはリブが立設されており、該リブの後端面には、第１規制面４３５ａに対して交差（傾斜）する方向に向けて形成される帯状の第２規制面４３５ｂが形成されている（図２４参照）。
　【００８９】
　図８〜図１１に示すように、右側の第１回動ユニット４１０Ｒは、円盤状に形成され互いに上下に並んだ状態で連接された上装飾部４１１Ｒａ及び下装飾部４１１Ｒｂからなる装飾部４１１Ｒと該装飾部４１１Ｒを回動可能に支持する支持部４１２Ｒとからなる第１可動部と、該第１可動部を回転駆動する第１回動モータ４１３Ｒと、第１回動モータ４１３Ｒの駆動力を第１可動部に伝達する駆動伝達部材４１４Ｒと、から主に構成される。
　【００９０】
　装飾部４１１Ｒは、大小の円盤形状に形成された取付盤４１５Ｒａ，４１５Ｒｂと、取付盤４１５Ｒａ，４１５Ｒｂに前面側から取り付けられ、前面に複数の第１回動ＬＥＤ４１６Ｒが設けられた第１ＬＥＤ基板４１７Ｒａ，４１７Ｒｂと、第１ＬＥＤ基板４１７Ｒａ，４１７Ｒｂの前面を被覆するように設けられるレンズ部材４１８Ｒａ，４１８Ｒｂと、取付盤４１５Ｒａ，４１５Ｒｂの周囲に取り付けられるリング状の装飾枠４１９Ｒａ，４１９Ｒｂと、レンズ部材４１８Ｒａ，４１８Ｒｂの前面に回転可能に設けられる装飾部材４２０Ｒａ，４２０Ｒｂと、から構成されている。右側の装飾部４１１Ｒは、取付盤４１５Ｒａ，４１５Ｒｂは装飾枠４１９Ｒａ，４１９Ｒｂにより一体化されていない。
　【００９１】
　取付盤４１５Ｒａ，４１５Ｒｂの背面には、装飾モータ４２１Ｒａ，４２１Ｒｂが取り付けられているとともに、この装飾モータ４２１Ｒａ，４２１Ｒｂの駆動軸に固着された駆動ギヤ４２２Ｒａ，４２２Ｒｂに噛合する中間ギヤ４２３Ｒａ，４２３Ｒｂと、該中間ギヤ４２３Ｒａ，４２３Ｒｂを介して駆動ギヤ４２２Ｒａ，４２２Ｒｂに連結される従動ギヤ４２４Ｒａ，４２４Ｒｂと、が前後方向を向く軸周りに回動可能に設けられている。従動ギヤ４２４Ｒａ，４２４Ｒｂの前面中央には回動軸４２５Ｒａ，４２５Ｒｂが突設されており、この回動軸４２５Ｒａ，４２５Ｒｂは、取付盤４１５Ｒａ，４１５Ｒｂ、第１ＬＥＤ基板４１７Ｒａ，４１７Ｒｂ、レンズ部材４１８Ｒａ，４１８Ｒｂに形成された貫通孔を挿通して装飾部材４２０Ｒａ，４２０Ｒｂが先端に固着されている。
　【００９２】
　よって、装飾モータ４２１Ｒａ，４２１Ｒｂの駆動力が駆動ギヤ４２２Ｒａ，４２２Ｒｂ、中間ギヤ４２３Ｒａ，４２３Ｒｂ、従動ギヤ４２４Ｒａ，４２４Ｒｂを介して装飾部材４２０Ｒａ，４２０Ｒｂに伝達され、これにより装飾部材４２０Ｒａ，４２０Ｒｂが回動軸４２５Ｒａ，４２５Ｒｂを中心として回動するようになっている。
　【００９３】
　支持部４１２Ｒは、上部に前後方向を向く軸孔４４１が形成されるとともに、下部に下側の取付盤４１５Ｒｂの取付部４４０が形成されている。軸孔４４１と取付部４４０との間には、軸孔４４１を中心とする円弧形状をなすガイド溝４４２が形成されており、上側の取付盤４１５Ｒａの背面下部に取り付けられる前後一対のガイドワッシャ４４３ａ，４４３ｂが摺動可能に係合されている。つまり、このガイド溝４４２とガイドワッシャ４４３ａ，４４３ｂは、下装飾部４１１Ｒｂを回動案内するとともに回動範囲を規制している。
　【００９４】
　駆動伝達部材４１４Ｒは、第１回動モータ４１３Ｒの駆動軸４１３ａに固着される回動盤４４４と、回動盤４４４の周縁近傍の偏心位置に一端が枢支されるとともに、支持部４１２Ｒの前面上部に他端が枢支されたリンク部材４４５と、から構成されており、第１回動モータ４１３Ｒにより回動盤４４４が回転されることで、駆動力がリンク部材４４５を介して支持部４１２Ｒに伝達され、これにより支持部４１２Ｒが軸孔４４１を中心として回動（揺動）するようになっている。また、回動盤４４４の周縁所定箇所には、第１回動スイッチ４３３Ｒにより第１回動ユニット４１０Ｒの駆動初期位置（本実施例では第１退避位置）を検出するための被検出部４４６が切欠形成されている。
　【００９５】
　第１回動モータ４１３Ｒは、ベース部材３５１の所定箇所に固設される取付部材４４７の背面に、駆動軸４１３ａが取付部材４４７の貫通孔から前面側に突出するように取り付けられている。また、取付部材４４７の右側には、上側の取付盤４１５Ｒａの背面上部が取り付けられる取付部４４８が形成されているとともに、その下方位置には、軸孔４４１に挿入可能に形成された回動軸４４９が前方に向けて突設されており、該回動軸４４９を中心として支持部４１２Ｒが回動可能に軸支されている。
　【００９６】
　このように第１回動ユニット４１０Ｒは、上装飾部４１１Ｒａは取付部材４４７に取り付けられて固定され、支持部４１２Ｒに取り付けられた下装飾部４１１Ｒｂのみが、回動軸４４９を中心として上装飾部４１１Ｒａの周縁に沿うように揺動可能に設けられている。
　【００９７】
　（第２回動ユニット）
　図１１及び図１２に示すように、左側の第２回動ユニット４７０Ｌは、ベース部材３５１に固定される固定部材４７１Ｌと、固定部材４７１Ｌに回動可能に支持された第２可動部４７２Ｌと、第２可動部４７２Ｌを駆動する第２回動モータ４７３Ｌと、から主に構成される。
　【００９８】
　第２回動モータ４７３Ｌは、駆動軸４７３ａが固定部材４７１Ｌの軸孔４７４Ｌを介して前面側に突出するように固定部材４７１Ｌの背面に固定されている。軸孔４７４Ｌの右側には、回動軸４７５Ｌが嵌合される嵌合孔４７６Ｌが形成されているとともに、該嵌合孔４７６Ｌを中心とする円弧形状をなすガイド溝４７７Ｌが形成されている。また、軸孔４７４Ｌを介して前面側に突出された駆動軸４７３ａの先端には駆動ギヤ４７８Ｌが固着されている。
　【００９９】
　後端が嵌合孔４７６Ｌに嵌合された回動軸４７５Ｌの前端は、支持部材４７９Ｌに形成された軸孔４８０Ｌに挿入され、固定部材４７１Ｌに対して支持部材４７９Ｌが回動軸４７５Ｌを中心として回動可能に軸支されている。支持部材４７９Ｌの上部には、第２可動部４７２Ｌの下部が取り付けられており、支持部材４７９Ｌとともに揺動するようになっている。
　【０１００】
　支持部材４７９Ｌの背面側には、駆動ギヤ４７８Ｌに噛合される従動ギヤ４８１Ｌが、軸孔４８０Ｌを中心とする円弧状に形成されている。また、従動ギヤ４８１Ｌの周囲には、第２回動センサ（図示略）により第２回動ユニット４７０Ｌの駆動初期位置（本実施例では第２退避位置）を検出するための被検出部が円弧状に形成されている。
　【０１０１】
　このように構成された第２回動ユニット４７０Ｌは、第２回動モータ４７３Ｌにより駆動ギヤ４７８Ｌが回動することで、その駆動力が従動ギヤ４８１Ｌを介して支持部材４７９Ｌに伝達され、第２可動部４７２Ｌが、固定部材４７１Ｌに対し回動軸４７５Ｌを中心として回動されるようになっている。
　【０１０２】
　尚、第２可動部４７２Ｌは、特に詳細な図示はしないが連結された鎖を模した形状をなす棒状部材からなり、下端から上端に向けて前方に屈曲または湾曲して形成されている（図２０参照）。
　【０１０３】
　次に、図１３及び図１４に示すように、右側の第２回動ユニット４７０Ｒは、ベース部材３５１に固定される固定部材４７１Ｒと、固定部材４７１Ｒに回動可能に支持された第２可動部４７２Ｒと、第２可動部４７２Ｒを駆動する第２回動モータ４７３Ｒと、から主に構成され、基本的には、左側の第２回動ユニット４７０Ｌと同様に形成されている。
　【０１０４】
　第２回動モータ４７３Ｒは、駆動軸４７３ａが固定部材４７１Ｒの軸孔４７４Ｒを介して前面側に突出するように固定部材４７１Ｒの背面に固定されている。軸孔４７４Ｒの右側には、回動軸４７５Ｒが嵌合される嵌合孔４７６Ｒが形成されているとともに、該嵌合孔４７６Ｒを中心とする円弧形状をなすガイド溝４７７Ｒが形成されている。また、軸孔４７４Ｒを介して前面側に突出された駆動軸４７３ａの先端には駆動ギヤ４７８Ｒが固着されている。
　【０１０５】
　後端が嵌合孔４７６Ｒに嵌合された回動軸４７５Ｒの前端は、支持部材４７９Ｒに形成された軸孔４８０Ｒに挿入され、固定部材４７１Ｒに対して支持部材４７９Ｒが回動軸４７５Ｒを中心として回動可能に軸支されている。支持部材４７９Ｒの上部には、第２可動部４７２Ｒの下部が取り付けられており、支持部材４７９Ｒとともに揺動するようになっている。
　【０１０６】
　支持部材４７９Ｒの背面側には、駆動ギヤ４７８Ｒに噛合される従動ギヤ４８１Ｒが、軸孔４８０Ｒを中心とする円弧状に形成されている。また、従動ギヤ４８１Ｒの周囲には、第２回動センサ（図示略）により第２回動ユニット４７０Ｒの駆動初期位置（本実施例では第２退避位置）を検出するための被検出部が円弧状に形成されている。
　【０１０７】
　このように構成された第２回動ユニット４７０Ｒは、第２回動モータ４７３Ｒにより駆動ギヤ４７８Ｒが回動することで、その駆動力が従動ギヤ４８１Ｒを介して支持部材４７９Ｒに伝達され、第２可動部４７２Ｒが、固定部材４７１Ｒに対し回動軸４７５Ｒを中心として回動されるようになっている。
　【０１０８】
　尚、第２可動部４７２Ｒは、特に詳細な図示はしないが連結された鎖を模した形状をなす棒状部材からなり、下端から上端に向けて前方に屈曲または湾曲して形成されている（図２２参照）。
　【０１０９】
　（第２演出装置）
　次に、第２演出装置５００について、図１５〜図１７にもとづいて説明する。図１５は、第２演出装置の構成を示す分解斜視図である。図１６は、同じく第２演出装置の構成を示す分解斜視図である。図１７は、（ａ）（ｂ）は移動部の構造を示す分解斜視図である。図１８は、（ａ）は移動部を示す正面図、（ｂ）は右側面図、（ｃ）は（ａ）のＡ−Ａ断面図である。
　【０１１０】
　図１５及び図１６に示すように、第２演出装置５００は、ベース部材３５１における表示用開口３５２の右側に上下方向に向けて設けられる移動支持部５０１と、移動支持部５０１により上下方向に移動する移動部５０２と、該移動部５０２に支持される装飾可動部５０３と、から主に構成されている。
　【０１１１】
　装飾可動部５０３は、表示用開口３５２の上方位置において左右方向に配置される上方位置と、表示用開口３５２の下部位置において左右方向に配置される下方位置と、の間で上下方向に直線状に往復移動可能に設けられている（図２３参照）。
　【０１１２】
　移動支持部５０１は、上下方向に延設される左右一対のガイドシャフト５１０ａ，５１０ｂと、これらガイドシャフト５１０ａ，５１０ｂ間に配設され、前面にラックギヤ５１１ａが上下方向に向けて形成されたギヤ部材５１１と、から主に構成されている。ガイドシャフト５１０ａ，５１０ｂは、上端及び下端に嵌合された取付部材５１２ａ，５１２ｂを介してベース部材３５１に取り付けられる。左右のガイドシャフト５１０ａ，５１０ｂは、互いに左右方向に離間するとともに、左側のガイドシャフト５１０ａに対し右側のガイドシャフト５１０ｂが僅かに前方に位置するように、互いに平行に設けられている。また、ギヤ部材５１１は直接ベース部材３５１に取り付けられる。
　【０１１３】
　移動部５０２は、特に図１７及び図１８に示すように、スライド部材５１５と、スライド部材５１５の前面側に取り付けられるカバー部材５１６と、カバー部材５１６の前面側に取り付けられ断面略コ字形をなす配線カバー５１７と、から主に構成されている。
　【０１１４】
　スライド部材５１５の前面左右側には、前方に開口するガイド凹溝５１８ａ，５１８ｂが上下方向に延設されており、ガイドシャフト５１０ａ，５１０ｂにこれらガイド凹溝５１８ａ，５１８ｂが背面側から嵌合されることで、上下方向に移動可能に案内されるようになっている。ガイド凹溝５１８ａの左側には、前方に開放される側面視Ｕ字形をなす軸受溝５１９が前後方向に形成されているとともに、その右側にはギヤ挿通窓５２０が形成されている。
　【０１１５】
　また、ガイド凹溝５１８ａの上部には、上被検出部５２１ａが上向きに突設されているとともに、ガイド凹溝５１８ａの下部には、下被検出部５２１ｂが下向きに突設されている。上被検出部５２１ａは、装飾可動部５０３が駆動初期位置である上方位置に位置したときに上昇スイッチ（図示略）により検出され、下被検出部５２１ｂは、装飾可動部５０３が下方位置に位置したときに下降スイッチ（図示略）により検出されるようになっている。
　【０１１６】
　カバー部材５１６は、スライド部材５１５の前面を被覆可能な大きさを有する被覆板５１６ａと、被覆板５１６ａの上辺から前向きに屈曲される上板５１６ｂ及び被覆板５１６ａの下辺から前向きに屈曲される下板５１６ｃとにより断面略前向きコ字形をなす板材からなり、取り付けられた状態においてガイド凹溝５１８ａ，５１８ｂや軸受溝５１９の前面開口を閉鎖するように設けられる。
　【０１１７】
　また、前方が開口する横向き凹溝状に形成されているとともに、その前面側に後向きコ字形をなす配線カバー５１７が取り付けられることで、これらカバー部材５１６と配線カバー５１７とにより、配線が挿通可能な配線挿通部５２３（図１８（ａ）（ｂ）参照）が形成されるようになっている。
　【０１１８】
　カバー部材５１６の右側辺上部には、上板５１６ｂの上面右端部に突設される支持アーム５２２ｂと、該支持アーム５２２ｂの上端に設けられる前後方向を向くガイドバー５２２ａと、からなる配線規制部５２２Ａが設けられている。また、カバー部材５１６の右側辺下部には、下板５１６ｃの下面右端部に突設される支持アーム５２２ｂと、該支持アーム５２２ｂの下端に設けられる前後方向を向くガイドバー５２２ａと、からなる配線規制部５２２Ｂが設けられている。図１８（ａ）（ｂ）に示すように、ガイドバー５２２ａは、右側のガイドシャフト５１０ｂよりも右側方前方に位置するように配置されており、これにより配線挿通部５２３の右側開口の直上及び直下に配置される。
　【０１１９】
　軸受溝５１９には、昇降モータ５２５の駆動軸５２５ａ（図１８（ｃ）参照）に相対回転不能に固着される駆動ギヤ５２６の軸部が回動可能に軸支される。駆動ギヤ５２６は、軸心が左右方向を向くとともに、ギヤの歯の後部がギヤ挿通窓５２０を介してスライド部材５１５の背面側に臨み、該ギヤ挿通窓５２０の背面側に対向して配置されるラックギヤ５１１ａに噛合されるようになっている。よって、昇降モータ５２５により駆動ギヤ５２６が回動されることで、移動支持部５０１に対して移動部５０２及び装飾可動部５０３が上方または下方に移動する。
　【０１２０】
　装飾可動部５０３は、図１５及び図１６に示すように、移動部５０２の左側方に取付部材５３０を介して取り付けられている。取付部材５３０は、左右方向を向く第１取付板５３０ａと、該第１取付板５３０ａの背面左右方向中央位置に直交して設けられる第２取付板５３０ｂと、から構成される。第１取付板５３０ａの前面には、左側に向けて延びる装飾板５３１が取り付けられているとともに、その左端部には、発光装飾体５３２が取り付けられている。
　【０１２１】
　発光装飾体５３２は、正面視ハート型をなし前面が開口する箱状に形成されたベース部材５３３と、ベース部材５３３の前面に配設され、前面に昇降ＬＥＤ５３５が複数設けられたＬＥＤ基板５３４と、ＬＥＤ基板５３４の前面側に配置される透光性シート５３６と、ＬＥＤ基板５３４の前面側を被覆するようにベース部材５３３の前面を閉鎖するレンズ部材５３７と、から主に構成され、ベース部材５３３は第１取付板５３０ａの前面左端部に取り付けられている。尚、レンズ部材５３７の前面に設けられる装飾部材は図示を省略している。
　【０１２２】
　また、図１６に示すように、装飾板５３１の背面には、昇降中継基板５３８が設けられている。昇降中継基板５３８には、ＬＥＤ基板５３４からの配線（図示略）と、昇降モータ５２５からの配線が接続されているとともに、これらＬＥＤ基板５３４及び昇降モータ５２５からの配線の端子がまとめられた基板側コネクタＣＮＫ１が設けられている。
　【０１２３】
　図２７に示すように、昇降中継基板５３８は、ベース部材３５１の背面上部に取り付けられるベース側中継基板５３９を含む中継基板を介して演出制御基板８０に接続されている。そして、昇降中継基板５３８とベース側中継基板５３９とは、可撓性を有するケーブルＣ（図２７，２８参照）を介して配線接続されている。詳しくは、ケーブルＣの一端に設けられた配線側コネクタＣＮＨ１は、可動側配線保持部となる基板側コネクタＣＮＫ１に接続され、ケーブルＣの他端に設けられた配線側コネクタＣＮＨ２は、ベース側中継基板５３９に設けられたベース側配線保持部となる基板側コネクタＣＮＫ２に接続される。
　【０１２４】
　一方、取付部材５３０の第２取付板５３０ｂの左側面には、昇降モータ５２５が、駆動軸５２５ａが第２取付板５３０ｂを貫通して移動部５０２側に突出されるように固定されている。そして、第２取付板５３０ｂを貫通して移動部５０２側に突出された駆動軸５２５ａは、軸受溝５１９に配置されて駆動ギヤ５２６が嵌合される。
　【０１２５】
　次に、第１演出装置４００及び第２演出装置５００のベース部材３５１に対する配設状態について、図１９〜図２２にもとづいて説明する。図１９は、装飾ユニットを示す正面図である。図２０は、図１９のＢ−Ｂ断面図である。図２１は、（ａ）は図１９のＣ−Ｃ断面図、（ｂ）は第１，２演出位置に移動した状態を示す断面図である。図２２は、図１９のＤ−Ｄ断面図である。
　【０１２６】
　まず、図１９〜図２１に示すように、左側の第１回動ユニット４１０Ｌは、支持部４１２Ｌの下端の回動軸４２７が、ベース部材３５１における表示用開口３５２の左側方下部に位置するようにベース部材３５１に対して回動可能に設けられる。具体的には、回動軸４２７の軸心Ｐ１は、前後方向、つまり遊技機の奥行き方向に向けて略水平に配設されている。
　【０１２７】
　回動軸４２７は、装飾部４１１Ｌの前面に対して略直交するように設けられているため、装飾部４１１Ｌは、表示用開口３５２の左側方位置において略垂直姿勢をなす第１退避位置と、表示用開口３５２側に傾倒するように回動され、遊技者から視認可能となるように演出表示装置９の表示画面の前面側に重なるように配置される第１演出位置と、の間で移動可能に設けられている。すなわち、装飾部４１１Ｌは、第１退避位置から第１演出位置までの第１移動範囲内において、演出表示装置９の表示画面や遊技盤６の盤面に対し略平行に移動するようになっている。
　【０１２８】
　左側の第２回動ユニット４７０Ｌは、第２可動部４７２Ｌの回動軸４７５Ｌが、ベース部材３５１における表示用開口３５２の左側方における第１回動ユニット４１０Ｌよりも背面側に位置するようにベース部材３５１に対して回動可能に設けられる。具体的には、回動軸４７５Ｌの軸心Ｐ２は、前後方向、つまり遊技機の奥行き方向に向けて左右及び上下方向に対し傾斜して配設されている。より詳しくは、背面側に向けて漸次右側下方に、軸心Ｐ１に対し交差するように傾斜しているため、第２退避位置において第１回動ユニット４１０Ｌの背面側に配置されるとともに、さらに下端の回動軸４７５Ｌ側から上端（先端）に向けて漸次第１回動ユニット４１０Ｌから背面側に離れるように傾倒して配置される。
　【０１２９】
　回動軸４７５Ｌは、第２可動部４７２Ｌの前面に対して略直交するように設けられているため、第２可動部４７２Ｌは、表示用開口３５２の左側方位置において正面視略垂直姿勢をなす第２退避位置と、表示用開口３５２側に傾倒するように回動され、遊技者から視認可能となるように演出表示装置９の表示画面の前面側に重なるように配置される第２演出位置と、の間で移動可能に設けられている。すなわち、第２可動部４７２Ｌは、第２退避位置から第２演出位置までの第２移動範囲内において、演出表示装置９の表示画面や遊技盤６の盤面に対し傾斜する方向へ、つまり、第１回動ユニット４１０Ｌの第１移動範囲に近づく方向に移動するようになっている。
　【０１３０】
　次に、図１９及び図２２に示すように、右側の第１回動ユニット４１０Ｒは、取付部材４４７の下端の回動軸４４９が、ベース部材３５１における表示用開口３５２の右側方上部に位置するようにベース部材３５１に対して回動可能に設けられる。具体的には、回動軸４４９の軸心Ｐ３は、前後方向、つまり遊技機の奥行き方向に向けて略水平に配設されている。
　【０１３１】
　回動軸４４９は、装飾部４１１Ｒの前面に対して略直交するように設けられているため、装飾部４１１Ｒは、表示用開口３５２の右側方位置において略垂直姿勢をなす第１退避位置と、表示用開口３５２側に傾倒するように回動され、演出表示装置９の表示画面の前面側に重なるように配置される第１演出位置と、の間で移動可能に設けられている。すなわち、装飾部４１１Ｒは、第１退避位置から第１演出位置までの第１移動範囲内において、演出表示装置９の表示画面や遊技盤６の盤面に対し略平行に移動するようになっている。
　【０１３２】
　右側の第２回動ユニット４７０Ｒは、第２可動部４７２Ｒの回動軸４７５Ｒが、ベース部材３５１における表示用開口３５２の右側方における第１回動ユニット４１０Ｒよりも背面側に位置するようにベース部材３５１に対して回動可能に設けられる。具体的には、回動軸４７５Ｒの軸心Ｐ４は、前後方向、つまり遊技機の奥行き方向に向けて左右及び上下方向に対し傾斜して配設されている。より詳しくは、背面側に向けて漸次左側下方に、回動軸４４９の軸心Ｐ３に対し交差するように傾斜しているため、第２退避位置において第１回動ユニット４１０Ｒの背面側に配置されるとともに、さらに下端の回動軸４７５Ｒ側から上端（先端）に向けて漸次第１回動ユニット４１０Ｒから背面側に離れるように傾倒して配置される。
　【０１３３】
　回動軸４７５Ｒは、第２可動部４７２Ｒの前面に対して略直交するように設けられているため、第２可動部４７２Ｒは、表示用開口３５２の右側方位置において正面視略垂直姿勢をなす第２退避位置と、表示用開口３５２側に傾倒するように回動され演出表示装置９の表示画面の前面側に重なるように配置される第２演出位置と、の間で移動可能に設けられている。すなわち、第２可動部４７２Ｒは、第２退避位置から第２演出位置までの第２移動範囲内において、演出表示装置９の表示画面や遊技盤６の盤面に対し傾斜する方向へ、つまり、第１回動ユニット４１０Ｒの第１移動範囲に近づく方向に移動するようになっている。
　【０１３４】
　次に、第１演出装置４００Ｌ，４００Ｒの動作態様及び装飾態様について、図２３及び図２４にもとづいて説明する。図２３は、（ａ）は第１回動ユニットが第１演出位置に位置した状態、（ｂ）は第２回動ユニットが第２演出位置に、第２演出装置が下方位置に位置した状態を示す概略正面図である。図２４は、（ａ）は第１回動ユニットが第１演出位置に位置した状態を示す概略平面図、（ｂ）は第２回動ユニットが第２演出位置に位置した状態を示す概略平面図である。
　【０１３５】
　図２３（ａ）に示すように、左側の第１回動ユニット４１０Ｌの回動軸４２７は演出表示装置９の表示画面の左側下方に位置し、右側の第１回動ユニット４１０Ｒの回動軸４４９は演出表示装置９の表示画面の右側上方に位置するため、第１退避位置から第１演出位置まで移動したときに、双方の装飾部４１１Ｌ，４１１Ｒが、演出表示装置９の表示画面の左下から斜め右上がりに略一直線上に配置されるようになっている。また、演出制御用ＣＰＵは、装飾部４１１Ｌ，４１１Ｒを第１演出位置に移動させたときに第１回動ＬＥＤ４１６Ｌ，４１６Ｒ（図６，９参照）を発光させることが可能である。
　【０１３６】
　図２３（ｂ）に示すように、左右の第２回動ユニット４７０Ｌ，４７０Ｒの回動軸４７５Ｌ，４７５Ｒは、演出表示装置９の表示画面の左右側下方にそれぞれ略同高さに位置するため、第２退避位置から第２演出位置まで移動したときに、双方の第２可動部４７２Ｌ，４７２Ｒの先端部が、演出表示装置９の表示画面の左右方向中央下部位置にて前後に重畳され、これにより左右の第２可動部４７２Ｌ，４７２Ｒが連続してアーチ状に配置され、演出表示装置９の表示画面が上下に分割されるように見える。
　【０１３７】
　尚、第２演出装置５００は、上方位置と下方位置との間で昇降可能とされており、下方位置まで下降したときに、第２演出位置まで移動した第２可動部４７２Ｌ，４７２Ｒの下方位置に配置されるようになっている。これにより、第２演出装置５００の装飾可動部５０３の上方に第２可動部４７２Ｌ，４７２Ｒが配置されることになるので、あたかも第２可動部４７２Ｌ，４７２Ｒにより装飾可動部５０３の上昇が規制されているように見せることができる。つまり、一方の可動部が他方の可動部の移動を規制するように配置されている。
　【０１３８】
　但し、第２可動部４７２Ｌ，４７２Ｒは、第２演出位置において下方位置にある装飾可動部５０３よりも前方位置に配設されている、つまり、第２可動部４７２Ｌ，４７２Ｒと装飾可動部５０３とは互いに前後方向に異なる位置に配設されているので、第２可動部４７２Ｌ，４７２Ｒを第２演出位置に退避させたり、装飾可動部５０３を上方位置に移動させる際に互いに接触したりすることが防止される。
　【０１３９】
　また、図２３（ｂ）に示すように、あたかも下方位置に配置された装飾可動部５０３の上昇を規制するように第２可動部４７２Ｌ，４７２Ｒが第２演出位置に配置される可動演出は、飾り図柄（特別図柄）の可変表示期間中の所定のタイミングで一時的に実行されるものでなく、例えば、大当り遊技状態中や、あるいは、通常状態に比べて特図変動時間が短縮されるとともに可変表示結果が「大当り」となって大当り遊技状態に制御される確率が通常状態や時短状態よりも高くなる確率変動に制御可能な遊技機において、遊技状態が非確変状態ではなく確変状態であることを示唆する所謂潜伏演出中等、所定期間にわたり継続して実行されるものであってもよい。
　【０１４０】
　図２４に示すように、本発明の実施例としての第１演出装置４００Ｌ，４００Ｒにあっては、第１回動ユニット４１０Ｌ，４１０Ｒは、前後方向を向く回動軸４２７，４４９を中心として、第１退避位置から第１演出位置までの第１移動範囲内で回動可能に設けられ、第２回動ユニット４７０Ｌ，４７０Ｒは、回動軸４２７，４４９とは異なる回動軸４７５Ｌ，４７５Ｒを中心として、第１退避位置に対しパチンコ遊技機１の奥行き方向（前後方向）に離れた第２退避位置から第２演出位置までの第２移動範囲内で回動可能に設けられており、回動軸４７５Ｌ，４７５Ｒは、第２回動ユニット４７０Ｌ，４７０Ｒが第２退避位置から回動したときに第１移動範囲に近づくように、回動軸４２７，４４９に対して傾斜して設けられている。
　【０１４１】
　第２回動ユニット４７０Ｌ，４７０Ｒの第２可動部４７２Ｌ，４７２Ｒは、第２退避位置では、装飾部４１１Ｌ，４１１Ｒに対し奥行き方向に重なるように配置されるが（図２４（ａ）参照）、第２演出位置に向けて移動することにより装飾部４１１Ｌ，４１１Ｒの第１移動範囲、つまり移動軌跡に近づくことで、装飾部４１１Ｌ，４１１Ｒとの奥行き方向の位置ずれが少なくとも第１退避位置及び第２退避位置にあるときよりも小さくなる（図２４（ｂ）参照）。
　【０１４２】
　詳しくは、図２４（ａ）に示すように、装飾部４１１Ｌ，４１１Ｒの所定位置（ここでは先端部）における演出表示装置９の表示画面からの離間距離Ｌ１と、図２４（ｂ）に示すように、第２可動部４７２Ｌ，４７２Ｒの所定位置（ここでは先端部）における演出表示装置９の表示画面からの離間距離Ｌ２とはほぼ同寸となっている（Ｌ１≒Ｌ２）。よって、装飾部４１１Ｌ，４１１Ｒが第１演出位置まで移動した場合と、第２可動部４７２Ｌ，４７２Ｒが第２演出位置まで移動した場合とで、奥行き方向の位置ずれが生じて遊技者に違和感を与えることが防止される。
　【０１４３】
　また、可動部を演出表示装置９の表示画面の前面側に出現させる可動演出を実行する際において、出現させたときに最もインパクトを与えられる奥行き面（前後位置）に、従来例の技術では、一の収納箇所に収納された複数の可動部のうち一しか出現させることができないが、本実施例では複数の可動部を同じ奥行き面（前後位置）に出現させることができる。
　【０１４４】
　また、演出表示装置９の表示画面に表示した画像と出現させた可動部とを合わせた演出を行う際に、従来例では、可動部によって出現する前後方向の位置が異なってくるため、出現する可動部によって遊技者からの見え具合が変わってしまうため、遊技者に違和感を与えてしまう虞があった。しかし、本実施例では、装飾部４１１Ｌ，４１１Ｒと第２可動部４７２Ｌ，４７２Ｒとを前後方向の略同位置に移動させることができるため、遊技者に違和感を与えることなく、表示と構造物とを合わせた演出を行うことが可能となる。
　【０１４５】
　また、本実施例では、第１回動ユニット４１０Ｌ，４１０Ｒの回動軸４２７，４４９に対して、第２回動ユニット４７０Ｌ，４７０Ｒの回動軸４７５Ｌ，４７５Ｒの後端を、中央寄りに水平に傾けるだけでなく、下方にも傾けていることで、第１回動ユニット４１０Ｌ，４１０Ｒの下方位置に第２回動ユニット４７０Ｌ，４７０Ｒの回動軸４７５Ｌ，４７５Ｒを近づけて配設することができ、これにより、第１回動ユニット４１０Ｌ，４１０Ｒに対して第２回動ユニット４７０Ｌ，４７０Ｒを前後方向に近接して配置することが可能となるため、前後方向の設置幅を極力短寸化することができる。
　【０１４６】
　また、第１回動ユニット４１０Ｌ，４１０Ｒの第１回動範囲に対し、第２回動ユニット４７０Ｌ，４７０Ｒの第２回動範囲が近づくように設けられるだけでなく、第１回動ユニット４１０Ｌ，４１０Ｒに対し第２回動ユニット４７０Ｌ，４７０Ｒが前後に傾倒した状態で回動することで双方の動きが複雑になるため、演出効果が向上する。
　【０１４７】
　また、装飾部４１１Ｌ，４１１Ｒと第２可動部４７２Ｌ，４７２Ｒとの間、つまり第１移動範囲と第２移動範囲との間に、装飾部４１１Ｌ，４１１Ｒ及び第２可動部４７２Ｌ，４７２Ｒの奥行き方向への移動を規制する規制片４３５が設けられていることで、装飾部４１１Ｌ，４１１Ｒ及び第２可動部４７２Ｌ，４７２Ｒが移動範囲内で何らかの要因により奥行き方向に揺れること等によって互いに接触することを防止できる。
　【０１４８】
　特に第１回動ユニット４１０Ｌ，４１０Ｒや第２回動ユニット４７０Ｌ，４７０Ｒのように、可動部が所定長さを有するとともに一端に回動軸が設けられている場合、片持ち支持状態となるため、回動軸と反対側の端部側に行くほど強度が低下して撓みが生じやすくなるばかりか、さらに先端側の装飾部などにモータのような重量物が搭載されるとぶれが生じやすくなる。よって、このような規制片４３５を回動軸から離れた箇所に配設することで、各可動部の先端側を安定して移動案内させることができるばかりか、前後の可動部同士の接触等を効果的に防止できる。
　【０１４９】
　さらに規制片４３５は、第１演出位置から第１移動範囲に沿うように（回動軸４２７，４４９に対して直交する方向に向けて）延設される第１規制面４３５ａと、第２演出位置から第２移動範囲に沿うように（回動軸４７５Ｌ，４７５Ｒに対して直交する方向に向けて）延設される第２規制面４３５ｂと、を有することで、装飾部４１１Ｌ，４１１Ｒ及び第２可動部４７２Ｌ，４７２Ｒは、それぞれの規制面４３５ａ，４３５ｂにより移動方向に沿って案内されるので、移動時の接触だけでなく奥行き方向の揺れが防止される。
　【０１５０】
　次に、本発明の変形例としての第１演出装置について説明する。図２５は、（ａ）は本発明の変形例としての第１演出装置の動作態様を示す概略図、（ｂ）はさらに他の変形例としての第１演出装置の動作態様を示す概略図である。
　【０１５１】
　本実施例では、第１回動ユニット４１０Ｌ，４１０Ｒの背面側に配設される第２回動ユニット４７０Ｌ，４７０Ｒの回動軸４７５Ｌ，４７５Ｒを回動軸４２７，４４９に対して傾けることで、第２可動部４７２Ｌ，４７２Ｒが装飾部４１１Ｌ，４１１Ｒの第１移動範囲に近づくように設けられていたが、図２５（ａ）に示すように、第１回動ユニット４１０Ｌ，４１０Ｒの回動軸４２７，４４９を、第２回動ユニット４７０Ｌ，４７０Ｒの回動軸４７５Ｌ，４７５Ｒに対して傾けることで、装飾部４１１Ｌ，４１１Ｒが第２可動部４７２Ｌ，４７２Ｒの第２移動範囲に近づくように設けてもよい。
　【０１５２】
　この場合、第１演出位置及び第２演出位置において、演出表示装置９の表示画面から装飾部４１１Ｌ，４１１Ｒ及び第２可動部４７２Ｌ，４７２Ｒの所定箇所（先端部）までの離間距離Ｌ３はほぼ同じであり、Ｌ１，Ｌ２よりも表示画面に近い位置に配置される。
　【０１５３】
　また、図２５（ｂ）に示すように、第１回動ユニット４１０Ｌ，４１０Ｒの回動軸４２７，４４９及び第２回動ユニット４７０Ｌ，４７０Ｒの回動軸４７５Ｌ，４７５Ｒ双方を互いに傾けることで、装飾部４１１Ｌ，４１１Ｒ及び第２可動部４７２Ｌ，４７２Ｒの第１，２移動範囲が互いに近づくように設けてもよい。
　【０１５４】
　また、この場合、第１演出位置における演出表示装置９の表示画面から装飾部４１１Ｌ，４１１Ｒの所定箇所（先端部）までの離間距離Ｌ４に比べて、第２演出位置における演出表示装置９の表示画面から第２可動部４７２Ｌ，４７２Ｒの所定箇所（先端部）までの離間距離Ｌ５の方が大きくなるように設けられている。
　【０１５５】
　このように、第１演出位置と第２演出位置とは、前後方向に完全に同じ位置でなくてもよく、前後方向に僅かに異なるようになっていてもよい。すなわち、第２回動ユニット４７０Ｌ，４７０Ｒの第２可動部４７２Ｌ，４７２Ｒが第２退避位置から移動したときに装飾部４１１Ｌ，４１１Ｒの第１移動範囲に近づくとは、本実施例のように、回動軸４７５Ｌ，４７５Ｒの所定箇所が装飾部４１１Ｌ，４１１Ｒの第１移動範囲に前後方向に重なる場合や（図２４（ｂ）参照）、第２可動部４７２Ｌ，４７２Ｒが装飾部４１１Ｌ，４１１Ｒの第１移動範囲を前方または後方に通り越してしまう場合や（図２５（ｂ）参照）、あるいは、第２可動部４７２Ｌ，４７２Ｒが装飾部４１１Ｌ，４１１Ｒの第１移動範囲に近接するが到達しない場合（図示略）も含まれる。
　【０１５６】
　また、図２３に示すように、装飾部４１１Ｌ，４１１Ｒの第１演出位置と第２可動部４７２Ｌ，４７２Ｒの第２演出位置とは、正面視で同じ位置でも異なる位置でもよい。つまり、それぞれの第１演出位置と第２演出位置とで前後方向に大きな位置ずれが生じなければ、第１演出位置と第２演出位置とは前後方向に完全に重畳する位置でなくてもよい。
　【０１５７】
　また、図２０及び図２２に示すように、回動軸４７５Ｌ，４７５Ｒは、第２退避位置において第２可動部４７２Ｌ，４７２Ｒが回動軸４７５Ｌ，４７５Ｒ（下端）から先端（上端）に行くにつれて装飾部４１１Ｌ，４１１Ｒから離れるように設けられていることで、回動軸４７５Ｌ，４７５Ｒから離れ不安定な先端は、第２退避位置においては装飾部４１１Ｌ，４１１Ｒから極力離れて配置されるので、装飾部４１１Ｌ，４１１Ｒと装飾部４１１Ｌ，４１１Ｒとが移動範囲内で何らかの要因により奥行き方向に揺れること等によって互いに接触することを防止できる。
　【０１５８】
　ここで、本発明の他の変形例としての第１演出装置について説明する。図２６は、（ａ）は本発明の他の変形例としての第１演出装置を示す概略図、（ｂ）はさらに他の変形例としての第１演出装置を示す概略図である。
　【０１５９】
　上記したように、回動軸４７５Ｌ，４７５Ｒを背面側に向けて下方に傾斜させることで、第２退避位置において第２可動部４７２Ｌ，４７２Ｒの上端が背面側に傾倒し、これにより装飾部４１１Ｌ，４１１Ｒから離れるようになっていたが、例えば図２６（ａ）に示すように、第２可動部４７２Ｌ，４７２Ｒの所定箇所を前方に向けて屈曲させたり、図２６（ｂ）に示すように湾曲させたりしてもよい。
　【０１６０】
　このように第２可動部４７２Ｌ，４７２Ｒを屈曲させたり湾曲させたりすることで、第２可動部４７２Ｌ，４７２Ｒの重心位置が回動軸４７５Ｌ，４７５Ｒから離れてバランスが悪くなったり、先端が重く不安定になり揺動しやすくなること等が防止される。
　【０１６１】
　次に、第２演出装置５００の配線状況について、図２７及び図２８にもとづいて説明する。図２７は、（ａ）は第２演出装置の配線状況を示す概略正面図、（ｂ）は（ａ）のＥ−Ｅ断面図である。図２８は、（ａ）は移動部を示す拡大図、（ｂ）はスパイラルチューブ、（ｃ）は図２７（ｂ）の要部拡大断面図である。
　【０１６２】
　図２７及び図２８に示すように、ベース部材３５１の前面における表示用開口３５２の右側に配設された移動支持部５０１の右側には、ギヤ部材５１１が固定される固定部材５５０と該固定部材５５０の前面に配設されるカバー部材５５１とにより、ケーブルＣを収容可能な横断面略長方形状をなす配線収容空間部５５２が上下方向に向けて延設されている。
　【０１６３】
　配線収容空間部５５２の左側面前部には、配線挿通溝５５３が上下方向に向けて延設されている。この配線挿通溝５５３は、移動部５０２の配線規制部５２２Ａ，５２２Ｂの右側に対向して配設されており、ガイドバー５２２ａが配線挿通溝５５３に沿って上下方向に移動するようになっている。ガイドバー５２２ａは、配線挿通溝５５３の前後幅よりも若干長寸に形成され、かつ、配線挿通溝５５３の延設方向に対し略直交する前後方向を向いているため、配線挿通溝５５３の所定箇所から延出されるケーブルＣを、上方または下方から確実に係止できるようになっている。
　【０１６４】
　また、固定部材５５０の上下方向の略中央位置、つまり移動支持部５０１の上下方向の略中央位置には、配線挿通口５５４が形成されているとともに、ベース部材３５１における配線挿通口５５４に対応する位置には開口５５５が形成されており、ケーブルＣをベース部材３５１の前後に挿通できるようになっている。
　【０１６５】
　一端に設けられた配線側コネクタＣＮＨ１を介して昇降中継基板５３８の基板側コネクタＣＮＫ１に接続されたケーブルＣの他端に設けられた配線側コネクタＣＮＨ２は、装飾板５３１の背面側から移動部５０２の配線挿通部５２３に挿入されて右側方に延出された後、配線挿通溝５５３を介して配線収容空間部５５２内に挿入され、さらに配線挿通口５５４、開口５５５を介してベース部材３５１の背面側に延出された後、ベース側中継基板５３９の基板側コネクタＣＮＫ２に接続される。
　【０１６６】
　また、ケーブルＣは、移動部５０２が上方位置と下方位置との間で移動する間に余剰部が生じる程度の長さを有し、その外周には、図２８（ｂ）に示すように、帯状の弾性部材を螺旋状に巻回することにより複数の配線を束ねてなる配線保護部材としてのスパイラルチューブ５６０が外周に巻装されている。これにより、複数本のケーブルが束ねられるだけでなく、ケーブルが配線規制部５２２Ａ，５２２Ｂのガイドバー５２２ａや移動部５０２との接触を繰り返すことによる断線等を防止することができるばかりか、ケーブルＣが屈曲されにくくなるので、移動部５０２の移動を妨げにくくなる。
　【０１６７】
　また、スパイラルチューブ５６０により複数の配線が束ねられることで、移動部５０２の移動の際に細いケーブル一本一本を噛んでしまうことが防止される。また、スパイラルチューブ５６０は、配線を束ねた状態でも、管状の弾性部材に螺旋状の切込みを入れることにより形成されているため、束ねられた配線の変形自由度が制限されにくくなるので、移動部５０２の移動に応じて過度な反発力を発生させることなく、ケーブルを退避させることができる。
　【０１６８】
　このように、本発明の実施例としての第２演出装置５００にあっては、ベース部材３５１に上下方向に向けて延設され、移動部５０２を移動可能に支持する移動支持部５０１と、装飾可動部５０３に搭載された電気部品である昇降ＬＥＤ５３５や昇降モータ５２５に接続され、該装飾可動部５０３に設けられた可動側配線保持部である基板側コネクタＣＮＫ１とベース部材３５１に設けられたベース側配線保持部である基板側コネクタＣＮＫ２との間に掛け渡された可撓性を有するケーブルＣと、移動部５０２における移動支持部５０１の延設方向、つまり上下方向に向けて突設され、ケーブルＣが移動支持部５０１を構成するガイドシャフト５１０ａ，５１０ｂやギヤ部材５１１に近づくことを規制する配線規制部５２２Ａ，５２２Ｂと、を備えている。
　【０１６９】
　よって、移動部５０２が上方または下方に移動する際に移動先のガイドシャフト５１０ａ，５１０ｂやギヤ部材５１１にケーブルＣ’（図２８（ａ）中一点鎖線参照）が存在しても、移動部５０２よりも配線規制部５２２Ａ，５２２Ｂの方が先にケーブルＣに接触して該ケーブルＣが近づくことが規制されるため、ケーブルＣがガイドシャフト５１０ａ，５１０ｂやギヤ部材５１１に入り込んだり、ガイドシャフト５１０ａ，５１０ｂとガイド凹溝５１８ａ，５１８ｂとの間、つまり被支持部に入り込むなどして移動部５０２の移動が妨げられること等が防止される。
　【０１７０】
　特に配線規制部５２２Ａ，５２２Ｂは、配線挿通溝５５３に対向して配置され、特にガイドバー５２２ａは、配線挿通溝５５３の長手方向に対し直交するように配設されていることで、ケーブルＣが配線挿通溝５５３から移動支持部５０１側に膨出されても、移動方向に突設されている配線規制部５２２Ａ，５２２Ｂがスリット状の配線挿通溝５５３の近傍を沿うように移動してくることで、膨出されたケーブルＣが漸次配線収容空間部５５２内に押し戻される。このように、このように配線挿通溝５５３が上下方向に延設されることで、ケーブルＣの動きや変形を大きく妨げることなく、かつ、配線挿通溝５５３から飛び出してきたときにはケーブルＣを配線収容空間部５５２内に上手く押し戻して収容させることができるため、ケーブルＣを無理に屈曲させて断線させたりすることなく、移動部５０２の移動の邪魔になることを防止できる。
　【０１７１】
　また、ベース部材３５１の背板を挟んで移動支持部５０１の反対側に設けられ、電気部品である昇降ＬＥＤ５３５や昇降モータ５２５にケーブルＣを介して接続されるベース側中継基板５３９と、ベース部材３５１の背板に形成され、ケーブルＣを挿通可能とする配線挿通口５５４と、を備え、配線挿通口５５４は、移動支持部５０１の長手方向の略中央位置近傍に形成されていることで、配線挿通口５５４から移動部５０２まで延出されるケーブルＣの長さを極力短くすることができるので、余剰したケーブルＣが邪魔になりにくくなる。
　【０１７２】
　尚、本実施例では、配線挿通口５５４は移動支持部５０１の長手方向の略中央位置に設けられていたが、上部または下部に設けられていてもよく、種々に変更可能である。
　【０１７３】
　また、本実施例では、配線規制部５２２Ａ，５２２Ｂは、配線挿通溝５５３との対向位置にのみ形成されていたが、ケーブルＣがガイドシャフト５１０ａ，５１０ｂ等に近づくことを規制するものであれば、例えば移動部５０２の上面及び下面からガイドシャフト５１０ａ，５１０ｂの周囲を覆うように筒状に形成されていてもよく、形状は種々に変更可能である。
　【０１７４】
　また、本実施例では、配線挿通部５２３は移動部５０２の右側方にケーブルＣを延出するとともに、配線挿通口５５４は移動支持部５０１の右側方に設けられていたが、移動部５０２からのケーブルＣの延出方向は、配線挿通口５５４の形成位置に応じて決定されるものではなく、例えば配線挿通口５５４が移動支持部５０１の背面側に形成されていてもよい。
　【０１７５】
　また、移動部５０２は、移動支持部５０１により昇降可能に設けられ、配線規制部５２２Ａ，５２２Ｂは、上方に向けて突設される第１規制部５２２Ａと、下方に向けて突設される第２規制部５２２Ｂと、から構成され、移動部５０２が往路を移動するときでも復路を移動するときでもケーブルＣが本体に近づくことを規制できる。
　【０１７６】
　また、本実施例では、移動支持部５０１はガイドシャフト５１０ａ，５１０ｂにて構成され、移動部５０２はこのガイドシャフト５１０ａ，５１０ｂに摺動可能に嵌合されてなるものであったが、例えば移動支持部が所定長さを有するガイド溝であり、移動部がガイド溝の長手方向に摺動可能に設けられていてもよく、移動支持部による移動部の支持構造は上記のものに限定されるものではない。
　【０１７７】
　また、本実施例の第２演出装置５００は、上下方向に延設された移動支持部５０１により移動部５０２が昇降可能に設けられていたが、移動方向は上下方向に限定されるものではなく種々に変更可能であり、例えば左右方向に延設された移動支持部５０１により移動部５０２が左右方向に往復動可能に設けられている場合でも、移動部５０２における移動支持部５０１の延設方向に第１規制部５２２Ａ及び第２規制部５２２Ｂを設けることで、同様の作用・効果を得ることができる。
　【０１７８】
　以上説明した第１演出装置４００Ｌ，４００Ｒの第１回動ユニット４１０Ｌ，４１０Ｒ及び第２回動ユニット４７０Ｌ，４７０Ｒや第２演出装置５００の装飾可動部５０３は、遊技中における種々のタイミングで可動させることが可能とされている。
　【０１７９】
　具体的には、例えば、飾り図柄（特別図柄）の可変表示期間中の所定のタイミングでいずれかの可動部を可動させることで、飾り図柄の可変表示状態が所定のリーチ状態となることに対する期待度や、大当り図柄が停止表示されて大当り遊技状態に制御されることに対する遊技者の期待感を向上させることができる。
　【０１８０】
　また、リーチ状態の成立後にいずれかの可動部を可動させることで、スーパーリーチに発展することや大当り遊技状態に制御されることに対する遊技者の期待感を向上させることができる。
　【０１８１】
　また、「左」、「中」、「右」の各飾り図柄表示エリアに飾り図柄が停止表示されてハズレ表示結果が導出表示された後にいずれかの可動部を可動させることで、図柄が再変動して大当り図柄が停止表示されることに対する遊技者の期待感を向上させることができる。
　【０１８２】
　また、通常状態に比べて特図変動時間が短縮されるとともに、可変表示結果が「大当り」となって大当り遊技状態に制御される確率が通常状態や時短状態よりも高くなる確率変動に制御可能な遊技機において、非確変大当り図柄が停止表示された後や、該非確変大当り図柄が停止表示されたことを契機に移行した大当り遊技状態中、さらに該大当り遊技状態終了後に移行した遊技状態においていずれかの可動部を可動させることで、大当り遊技状態終了後の遊技状態が、非確変状態から確変状態に昇格されることに対する遊技者の期待感を向上させることができる。
　【０１８３】
　また、各可動部の可動演出の実行タイミングは、上記したような図柄の可変表示期間中の所定タイミングに限定されるものではなく、例えば大当り遊技中であってもよい。
　【０１８４】
　また、可動演出は、複数のうちいずれの可動部を可動させてもよく、例えば大当り期待度に応じて、可動させる可動部の種類や数、あるいは可動態様等を変えることで、遊技者の期待感を効果的に煽ることができる。
　【０１８５】
　次に、本実施例において演出制御用ＣＰＵが実行する演出装置の駆動制御について簡単に説明する。
　【０１８６】
　演出制御用ＣＰＵは、パチンコ遊技機１の電源投入時において、第１演出装置４００の第１回動ユニット４１０Ｌ，４１０Ｒ及び第２回動ユニット４７０Ｌ，４７０Ｒと、第２演出装置５００の装飾可動部５０３と、の位置を各種センサにて検出し、駆動初期位置にセットする処理を実行する。そして各可動部４１０Ｌ，４１０Ｒ、４７０Ｌ，４７０Ｒ、５０３がそれぞれ駆動初期位置にあることが検出されたときに、駆動源である各ステッピングモータの電源をｏｆｆ、つまり各励磁相を消磁する。
　【０１８７】
　また、可動部４１０Ｌ，４１０Ｒ、４７０Ｌ，４７０Ｒ、５０３を駆動させるときには、各種センサにて各可動部の位置を検出して確認した後、駆動する可動部に対応するステッピングモータの電源をｏｎにして駆動させるだけでなく、駆動しない他の可動部に対応するステッピングモータの電源もｏｎにして全励磁相を励磁して可動部の移動を強制的に停止させる。そして、いずれかの可動部を演出位置に移動させた後、駆動初期位置まで戻して停止させた後に全てのステッピングモータの電源をｏｆｆにするようにしている。
　【０１８８】
　このように、複数の可動部を搭載するパチンコ遊技機１において、いずれかの可動部を駆動する際に、駆動初期位置にある他の可動部のステッピングモータを励磁して可動を強制的に停止させるようにすることで、可動部を駆動させないときは電源をｏｆｆ（消磁）して省電力化を図ることができるとともに、いずれかの可動部を移動させる場合には、他の可動部に対応するステッピングモータの電源をｏｎにし、各励磁相を励磁して強制的に停止させることで、その可動部の移動による衝撃やパチンコ遊技機１に設けられた操作ボタン等の操作による衝撃等で、他の可動部が駆動初期位置から不用意に移動してしまうことが防止される。
　【０１８９】
　以上、本発明の実施例を図面により説明してきたが、具体的な構成はこれら実施例に限られるものではなく、本発明の要旨を逸脱しない範囲における変更や追加があっても本発明に含まれる。
　【０１９０】
　また、前記実施例では、遊技媒体の一例として、球状のパチンコ球（遊技球）が適用されていたが、球状の遊技媒体に限定されるものではなく、例えばメダル等の非球状の遊技媒体であってもよい。また、遊技機はパチンコ遊技機に限定されるものではなく、遊技用価値を用いて１ゲームに対して所定数の賭数を設定することによりゲームが開始可能となるとともに、各々が識別可能な複数種類の図柄を変動表示可能な可変表示装置に表示結果が導出されることにより１ゲームが終了し、該可変表示装置に導出された表示結果に応じて入賞が発生可能とされたスロットマシンであってもよい。
　【符号の説明】
　【０１９１】
１　　　　　　　　　パチンコ遊技機
３５１　　　　　　　ベース部材
４００Ｌ，４００Ｒ　第１演出装置
４１０Ｌ，４１０Ｒ　第１回動ユニット
４１１Ｌ，４１１Ｒ　装飾部
４２７　　　　　　　回動軸
４３５　　　　　　　規制片
４４９　　　　　　　回動軸
４７０Ｌ，４７０Ｒ　第２回動ユニット
４７２Ｌ，４７２Ｒ　第２可動部
４７５Ｌ，４７５Ｒ　回動軸
５００　　　　　　　第２演出装置
５０１　　　　　　　移動支持部
５０２　　　　　　　移動部
５０３　　　　　　　装飾可動部
５２２Ａ，５２２Ｂ　配線規制部
５２３　　　　　　　配線挿通部
５３８　　　　　　　昇降中継基板
５３９　　　　　　　ベース側中継基板
５５２　　　　　　　配線収容空間部
５５３　　　　　　　配線挿通溝
５５４　　　　　　　配線挿通口
５６０　　　　　　　スパイラルチューブ
（５７）【特許請求の範囲】
　【請求項１】
　ベース部と、該ベース部に対して移動可能に設けられた可動部と、該可動部に駆動力を伝達させる駆動伝達手段と、を有する演出装置を備える遊技機であって、
　前記演出装置は、
　前記ベース部の第１位置から第２位置に向けて延設され、前記可動部を移動可能に支持する移動支持部と、
　前記可動部に搭載された電気部品に接続され、該可動部に設けられた可動側配線保持部と前記ベース部に設けられたベース側配線保持部との間に掛け渡された可撓性を有する配線と、
　前記移動支持部を基準として前記可動側配線保持部とは反対側に設けられる配線経路部と、
　前記可動部において前記配線経路部側に設けられる規制部と、
　を備え、
　前記配線は、前記可動側配線保持部から前記規制部に向けて延出され、さらに該規制部から前記配線経路部に向けて延出され、
　
前記可動部は、前記移動支持部により支持される被支持部を有し、
　前記規制部は、
前記被支持部よりも前記移動支持部の延設方向に突設させて形成され、
と前記被支持部の間に
　ことを特徴とする遊技機。